(57)【特許請求の範囲】
【請求項１】
第１流体と第２流体と第３流体とを熱交換させる熱交換器であって、
前記第１流体が流れる第１流路（１８５ａ）と前記第２流体が流れる第２流路（１８５ｂ）とが形成された複数の流路ユニット（１８）を有し、該複数の流路ユニットが積層方向（ＤＲｓ）へ積層されることにより構成されたユニット積層部（１２）と、
前記ユニット積層部を収容するタンク（１４）とを備え、
前記タンク内には前記第３流体が流通し、
前記複数の流路ユニットはそれぞれ、該流路ユニットの一端部（１８ｄ）に配置された一端側第１連通部（１８１）および一端側第２連通部（１８２）と、該流路ユニットの他端部（１８ｅ）に配置された他端側第１連通部（１８３）および他端側第２連通部（１８４）と、前記一端部と前記他端部との間に配置され前記第１流路と前記第２流路とが前記積層方向へ積層して形成された中間部（１８５）とを有し、
前記複数の流路ユニットのうちの互いに隣接する流路ユニットの間では、前記一端側第１連通部同士が接続されることにより前記互いに隣接する流路ユニットの前記第１流路同士が前記一端部側にて連通し、前記他端側第１連通部同士が接続されることにより前記互いに隣接する流路ユニットの前記第１流路同士が前記他端部側にて連通し、前記一端側第２連通部同士が接続されることにより前記互いに隣接する流路ユニットの前記第２流路同士が前記一端部側にて連通し、且つ、前記他端側第２連通部同士が接続されることにより前記互いに隣接する流路ユニットの前記第２流路同士が前記他端部側にて連通しており、
前記互いに隣接する流路ユニットの前記中間部同士の間には、前記第３流体が流通する隙間（１８ｆ）が形成されており、
前記複数の流路ユニットはそれぞれ、一対の外殻プレート（２２、２４）と隔壁プレート（２６）とを有し、
前記一対の外殻プレートのうちの一方である一方側外殻プレート（２２）は、前記隔壁プレートに対し前記積層方向の一方側に配置されると共に該隔壁プレートに接合され、
前記一対の外殻プレートのうちの他方である他方側外殻プレート（２４）は、前記隔壁プレートに対し前記積層方向の他方側に配置されると共に該隔壁プレートに接合され、
前記第１流路は、前記一方側外殻プレートと前記隔壁プレートとの間に形成され、
前記第２流路は、前記他方側外殻プレートと前記隔壁プレートとの間に形成され、該隔壁プレートによって前記第１流路と隔てられている熱交換器。
【請求項２】
前記一端側第１連通部と前記他端側第１連通部との並びは、前記一端側第２連通部と前記他端側第２連通部との並びに対し対角配置になっており、
前記隔壁プレートは、前記一端側第１連通部に含まれ前記積層方向の他方側へ突き出た第１隔壁突出部（２６１）と、前記一端側第２連通部に含まれ前記積層方向の一方側へ突き出た第２隔壁突出部（２６２）と、前記他端側第１連通部に含まれ前記積層方向の他方側へ突き出た第３隔壁突出部（２６３）と、前記他端側第２連通部に含まれ前記積層方向の一方側へ突き出た第４隔壁突出部（２６４）とを有し、
前記第１隔壁突出部の頂部（２６１ｂ）と前記第３隔壁突出部の頂部（２６３ｂ）はそれぞれ、前記他方側外殻プレートの内壁面（２４１ｅ）に対し前記積層方向に当接し、
前記第２隔壁突出部の頂部（２６２ｂ）と前記第４隔壁突出部の頂部（２６４ｂ）はそれぞれ、前記一方側外殻プレートの内壁面（２２１ｅ）に対し前記積層方向に当接している請求項１に記載の熱交換器。
【請求項３】
前記第１隔壁突出部の頂部には、該頂部を貫通する第１隔壁孔（２６１ｃ）が形成され、
前記第２隔壁突出部の頂部には、該頂部を貫通する第２隔壁孔（２６２ｃ）が形成され、
前記第３隔壁突出部の頂部には、該頂部を貫通する第３隔壁孔（２６３ｃ）が形成され、
前記第４隔壁突出部の頂部には、該頂部を貫通する第４隔壁孔（２６４ｃ）が形成され、
前記複数の流路ユニットには、中間流路ユニット（１８ａ）が含まれ、
該中間流路ユニットは、該中間流路ユニットに対し前記積層方向の一方側にも他方側にも流路ユニットが隣接するように設けられ、
前記中間流路ユニットの前記一方側外殻プレートは、前記一端側第１連通部に含まれる第１一方側連通部（２２１ａ）と、前記一端側第２連通部に含まれる第２一方側連通部（２２１ｂ）と、前記他端側第１連通部に含まれる第３一方側連通部（２２１ｃ）と、前記他端側第２連通部に含まれる第４一方側連通部（２２１ｄ）とを有し、
前記第１一方側連通部は前記積層方向の一方側へ突き出ており、該第１一方側連通部の頂部（２２１ｇ）には、該頂部を貫通し且つ前記第１流路に連通する第１一方側連通孔（２２１ｈ）が形成され、
前記第２一方側連通部には、該第２一方側連通部を貫通する第２一方側連通孔（２２１ｉ）が形成され、
前記第３一方側連通部は前記積層方向の一方側へ突き出ており、該第３一方側連通部の頂部（２２１ｋ）には、該頂部を貫通し且つ前記第１流路に連通する第３一方側連通孔（２２１ｍ）が形成され、
前記第４一方側連通部には、該第４一方側連通部を貫通する第４一方側連通孔（２２１ｎ）が形成され、
前記中間流路ユニットの前記他方側外殻プレートは、前記一端側第１連通部に含まれる第１他方側連通部（２４１ａ）と、前記一端側第２連通部に含まれる第２他方側連通部（２４１ｂ）と、前記他端側第１連通部に含まれる第３他方側連通部（２４１ｃ）と、前記他端側第２連通部に含まれる第４他方側連通部（２４１ｄ）とを有し、
前記第１他方側連通部には、該第１他方側連通部を貫通する第１他方側連通孔（２４１ｆ）が形成され、
前記第２他方側連通部は前記積層方向の他方側へ突き出ており、該第２他方側連通部の頂部（２４１ｈ）には、該頂部を貫通し且つ前記第２流路に連通する第２他方側連通孔（２４１ｉ）が形成され、
前記第３他方側連通部には、該第３他方側連通部を貫通する第３他方側連通孔（２４１ｊ）が形成され、
前記第４他方側連通部は前記積層方向の他方側へ突き出ており、該第４他方側連通部の頂部（２４１ｍ）には、該頂部を貫通し且つ前記第２流路に連通する第４他方側連通孔（２４１ｎ）が形成され、
前記第１隔壁突出部の頂部は、前記第１隔壁孔を前記第１他方側連通孔へ連通させるように、前記他方側外殻プレートの内壁面のうち前記第１他方側連通部に属する部位に接合され、該接合によって、前記第１他方側連通孔は、前記第２流路と隔てられつつ前記第１流路に連通し、
前記第２隔壁突出部の頂部は、前記第２隔壁孔を前記第２一方側連通孔へ連通させるように、前記一方側外殻プレートの内壁面のうち前記第２一方側連通部に属する部位に接合され、該接合によって、前記第２一方側連通孔は、前記第１流路と隔てられつつ前記第２流路に連通し、
前記第３隔壁突出部の頂部は、前記第３隔壁孔を前記第３他方側連通孔へ連通させるように、前記他方側外殻プレートの内壁面のうち前記第３他方側連通部に属する部位に接合され、該接合によって、前記第３他方側連通孔は、前記第２流路と隔てられつつ前記第１流路に連通し、
前記第４隔壁突出部の頂部は、前記第４隔壁孔を前記第４一方側連通孔へ連通させるように、前記一方側外殻プレートの内壁面のうち前記第４一方側連通部に属する部位に接合され、該接合によって、前記第４一方側連通孔は、前記第１流路と隔てられつつ前記第２流路に連通する請求項２に記載の熱交換器。
【請求項４】
前記複数の流路ユニットのうちの少なくとも何れかにおいて、前記隔壁プレートは、前記第１隔壁突出部と前記第２隔壁突出部と前記第３隔壁突出部と前記第４隔壁突出部とのうちの何れかを構成する隔壁突出部材（２６５）と、該隔壁突出部材の構成部位以外の他の部位を構成する隔壁プレート構成部材（２６６）とが互いに接合されることによって構成されている請求項２または３に記載の熱交換器。
【請求項５】
前記複数の流路ユニットには、該複数の流路ユニットのうち前記積層方向の一方側の端に配置された一方端流路ユニット（１８ｂ）が含まれ、
前記一方端流路ユニットの前記一方側外殻プレートには、第１流体入口（１８１ａ）と第１流体出口（１８３ａ）と第２流体入口（１８２ａ）と第２流体出口（１８４ａ）とが形成されており、
前記第１流体入口と前記第１流体出口は、前記複数の流路ユニットの前記第２流路と隔てられつつ前記第１流路に連通し、
前記第２流体入口と前記第２流体出口は、前記複数の流路ユニットの前記第１流路と隔てられつつ前記第２流路に連通し、
前記第１流体入口には前記ユニット積層部の外部から前記第１流体が流入し、
前記第１流体出口からは前記第１流体が前記ユニット積層部の外部へ流出し、
前記第２流体入口には前記ユニット積層部の外部から前記第２流体が流入し、
前記第２流体出口からは前記第２流体が前記ユニット積層部の外部へ流出する請求項１ないし４のいずれか１つに記載の熱交換器。
【請求項６】
前記一方端流路ユニットの前記一方側外殻プレートは、前記一端側第１連通部に含まれ第１接続口が形成された第１接続部（２２３ａ）と、前記一端側第２連通部に含まれ第２接続口が形成された第２接続部（２２３ｂ）と、前記他端側第１連通部に含まれ第３接続口が形成された第３接続部（２２３ｃ）と、前記他端側第２連通部に含まれ第４接続口が形成された第４接続部（２２３ｄ）とを有し、
前記第１接続口と前記第３接続口との一方は前記第１流体入口として設けられると共に、他方は前記第１流体出口として設けられ、
前記第２接続口と前記第４接続口との一方は前記第２流体入口として設けられると共に、他方は前記第２流体出口として設けられている請求項５に記載の熱交換器。
【請求項７】
前記複数の流路ユニットには、該複数の流路ユニットのうち前記積層方向の他方側の端に配置された他方端流路ユニット（１８ｃ）が含まれ、
前記他方端流路ユニットの前記他方側外殻プレートには、該他方端流路ユニットの前記第１流路に連通する孔も該他方端流路ユニットの前記第２流路に連通する孔も形成されていない請求項５または６に記載の熱交換器。
【請求項８】
前記複数の流路ユニットには、該複数の流路ユニットのうち前記積層方向の一方側の端に配置された一方端流路ユニット（１８ｂ）と、前記複数の流路ユニットのうち前記積層方向の他方側の端に配置された他方端流路ユニット（１８ｃ）とが含まれ、
前記一方端流路ユニットの前記一方側外殻プレートには、第１流体入口（１８１ａ）と第１流体出口（１８３ａ）とが形成され、
前記他方端流路ユニットの前記他方側外殻プレートには、第２流体入口（１８２ａ）と第２流体出口（１８４ａ）とが形成されており、
前記第１流体入口と前記第１流体出口は、前記複数の流路ユニットの前記第２流路と隔てられつつ前記第１流路に連通し、
前記第２流体入口と前記第２流体出口は、前記複数の流路ユニットの前記第１流路と隔てられつつ前記第２流路に連通し、
前記第１流体入口には前記ユニット積層部の外部から前記第１流体が流入し、
前記第１流体出口からは前記第１流体が前記ユニット積層部の外部へ流出し、
前記第２流体入口には前記ユニット積層部の外部から前記第２流体が流入し、
前記第２流体出口からは前記第２流体が前記ユニット積層部の外部へ流出する請求項１ないし４のいずれか１つに記載の熱交換器。
【請求項９】
前記複数の流路ユニットのうちの少なくとも何れかにおいて、前記一方側外殻プレートは、該一方側外殻プレートのうち前記積層方向の一方側へ突き出た部位（２２１ａ、２２１ｃ）を構成する一方側突出部材（２２４）と、該一方側突出部材の構成部位以外の他の部位を構成する一方側外殻プレート構成部材（２２５）とが互いに接合されることによって構成されている請求項１ないし８のいずれか１つに記載の熱交換器。
【請求項１０】
前記複数の流路ユニットのうちの少なくとも何れかにおいて、前記他方側外殻プレートは、該他方側外殻プレートのうち前記積層方向の他方側へ突き出た部位（２４１ｂ、２４１ｄ）を構成する他方側突出部材（２４４）と、該他方側突出部材の構成部位以外の他の部位を構成する他方側外殻プレート構成部材（２４５）とが互いに接合されることによって構成されている請求項１ないし９のいずれか１つに記載の熱交換器。
【請求項１１】
前記隙間には、前記第３流体と前記第１流体または前記第２流体との熱交換を促進するフィン（１２１）が設けられている請求項１ないし１０のいずれか１つに記載の熱交換器。
【請求項１２】
前記フィンは、前記積層方向で該フィンの両隣に配置された一対の前記中間部のうちの一方には接合され、他方には接合されていない請求項１１に記載の熱交換器。
【請求項１３】
前記第１流体は、車両用エンジン（９０）を潤滑するエンジンオイルであり、
前記第２流体は、車両用変速機（９２）を潤滑する変速機オイルであり、
前記第３流体は、前記車両用エンジンを冷却するエンジン冷却液である請求項１ないし１２のいずれか１つに記載の熱交換器。
【請求項１４】
前記タンクは、該タンクの外部から前記第３流体を前記タンク内へ流入させるタンク入口部（１４１）と、前記タンク内の前記第３流体を前記タンクの外部へ流出させるタンク出口部（１４２）とを有する請求項１ないし１３のいずれか１つに記載の熱交換器。
【請求項１５】
前記タンク入口部は、前記積層方向に直交する方向において、前記タンクの一方側の側部（１４７）に設けられ、前記タンク出口部は、前記タンクの他方側の側部（１４８）に設けられている請求項１４に記載の熱交換器。
【発明の詳細な説明】
【関連出願への相互参照】
【０００１】
本出願は、２０１６年１０月１３日に出願された日本特許出願番号２０１６−２０１７９４号に基づくもので、ここにその記載内容が参照により組み入れられる。
【技術分野】
【０００２】
本開示は、複数の流体を熱交換させる熱交換器に関するものである。
【背景技術】
【０００３】
この種の熱交換器として、例えば特許文献１に記載されたる車両用熱交換器が従来から知られている。この特許文献１の車両用熱交換器は、複数のプレートが積層されることにより構成されている。これにより、その車両用熱交換器には、第１作動流体が流れる第１連結流路と、第２作動流体が流れる第２連結流路と、第３作動流体が流れる第３連結流路とが順番に繰り返し積層されるように形成されている。【０００４】
但し、特許文献１には、車両用熱交換器内で各層の流路がどのように連通し或いは分離されているかという具体的な内部構造は開示されていない。
【先行技術文献】
【特許文献】
【０００５】
【特許文献１】特開２０１３−１１３５７８号公報
【発明の概要】
【０００６】
特許文献１の車両用熱交換器では、第１〜３作動流体の出入口は、プレートの積層方向の一方側または他方側に配置する必要がある。例えば、第１〜３作動流体の出入口の何れかをプレートの積層方向に直交する方向に出すこと、すなわち、その出入口の何れかを車両用熱交換器の側方に設けることは困難である。発明者の詳細な検討の結果、以上のようなことが見出された。
【０００７】
本開示は上記点に鑑みて、熱交換器に出入りする流体を流す配管のレイアウト上の制約を緩くすることを目的とする。
【０００８】
上記目的を達成するため、本開示の１つの観点によれば、熱交換器は、
第１流体と第２流体と第３流体とを熱交換させる熱交換器であって、
第１流体が流れる第１流路と第２流体が流れる第２流路とが形成された複数の流路ユニットを有し、その複数の流路ユニットが積層方向へ積層されることにより構成されたユニット積層部と、
ユニット積層部を収容するタンクとを備え、
タンク内には第３流体が流通し、
複数の流路ユニットはそれぞれ、その流路ユニットの一端部に配置された一端側第１連通部および一端側第２連通部と、その流路ユニットの他端部に配置された他端側第１連通部および他端側第２連通部と、一端部と他端部との間に配置され第１流路と第２流路とが積層方向へ積層して形成された中間部とを有し、
複数の流路ユニットのうちの互いに隣接する流路ユニットの間では、一端側第１連通部同士が接続されることにより互いに隣接する流路ユニットの第１流路同士が一端部側にて連通し、他端側第１連通部同士が接続されることにより互いに隣接する流路ユニットの第１流路同士が他端部側にて連通し、一端側第２連通部同士が接続されることにより互いに隣接する流路ユニットの第２流路同士が一端部側にて連通し、且つ、他端側第２連通部同士が接続されることにより互いに隣接する流路ユニットの第２流路同士が他端部側にて連通しており、
互いに隣接する流路ユニットの中間部同士の間には、第３流体が流通する隙間が形成されている。
【０００９】
これにより、第１流体と第２流体と第３流体とを相互に熱交換させることが可能である。それと共に、第３流体の入口および出口をタンクに設けることができるので、第３流体を熱交換器に出入りさせる配管を流路ユニットの積層方向とは無関係に配置できる。これにより、熱交換器に出入りする流体を流す配管のレイアウト上の制約を、特許文献１の車両用熱交換器と比較して緩くすることが可能である。
【図面の簡単な説明】
【００１０】
【図１】第１実施形態において熱交換器の概略構成を示した模式図であって、その熱交換器ユニット積層部がユニット積層方向の一方側から見えるようにタンクを切断した断面図である。
【図２】第１実施形態において、図１のII−II断面を示した断面図である。
【図３】第１実施形態において、図１のIII−III断面を示した断面図である。
【図４】第１実施形態において、１つの流路ユニットを分解して模式的に示した分解斜視図である。
【図５】第１実施形態において、図１のV−V断面を示した断面図である。
【図６】第２実施形態において、図１のII−II断面を示した断面図であって、第１実施形態の図２に相当する図である。
【図７】第２実施形態において、図１のIII−III断面を示した断面図であって、第１実施形態の図３に相当する図である。
【図８】第３実施形態において、図１のII−II断面を示した断面図であって、第１実施形態の図２に相当する図である。
【図９】第４実施形態において、熱交換器の概略構成と共に各構成部材の配置関係を示した模式図である。
【図１０】第４実施形態において、図９のX−X断面を示した断面図であって、第１実施形態の図１に相当する図である。
【図１１】第４実施形態において、図１０のXI−XI断面を示した断面図であって、第２実施形態の図６に相当する図である。
【図１２】第４実施形態において、図１０のXII−XII断面を示した断面図であって、第２実施形態の図７に相当する図である。
【図１３】第５実施形態において、図１０のXII−XII断面を示した断面図であって、第４実施形態の図１２に相当する図である。
【図１４】他の実施形態において、流路ユニットの一方側外殻プレートまたは他方側外殻プレートが、互いに接合された複数の部材から構成されている例を示した図であって、その外殻プレートに含まれる突出部位を示した断面図である。
【図１５】他の実施形態において、流路ユニットの隔壁プレートが、互いに接合された複数の部材から構成されている例を示した図であって、その隔壁プレートに含まれる第１〜４隔壁突出部のうちの１つの隔壁突出部を示した断面図である。
【発明を実施するための形態】
【００１１】
以下、図面を参照しながら、本開示の実施形態を説明する。なお、以下の各実施形態相互において、互いに同一もしくは均等である部分には、図中、同一符号を付してある。
【００１２】
（第１実施形態）
図１〜図３に示す本実施形態の熱交換器１０は、第１冷媒としての第１流体と、第２冷媒としての第２流体と、第３冷媒としての第３流体とを熱交換させる熱交換器である。本実施形態では例えば、第１流体は、車両用エンジン９０を潤滑するエンジンオイルである。また、第２流体は、車両用変速機９２を潤滑する変速機オイルである。また、第３流体は、車両用エンジン９０を冷却するエンジン冷却水（すなわち、エンジン冷却液）である。
【００１３】
図１〜図３に示すように、熱交換器１０は、ユニット積層部１２とタンク１４と第１入口配管１６１と第１出口配管１６２と第２入口配管１７１と第２出口配管１７２とを備えている。これらの複数の配管１６１、１６２、１７１、１７２は例えばパイプ等の配管部材からなり、ユニット積層部１２に対し第１流体および第２流体を出入りさせるインターフェース部として機能する。
【００１４】
ユニット積層部１２は、第１流体と第２流体とが互いに分離されつつ流れる複数の流路ユニット１８を有している。そして、ユニット積層部１２は、その複数の流路ユニット１８がユニット積層方向ＤＲｓへ積層されることにより構成されている。
【００１５】
タンク１４は、ユニット積層部１２を収容している。タンク１４は、タンク１４の外部から第３流体をタンク１４内へ流入させるタンク入口部１４１と、タンク１４内の第３流体をタンク１４の外部へ流出させるタンク出口部１４２とを有している。従って、矢印Ｆ３ｉのようにタンク入口部１４１から流入した第３流体はタンク１４内を流通し、その後、矢印Ｆ３ｏのようにタンク出口部１４２からタンク１４の外部へ流出する。すなわち、タンク１４内の空間であるタンク空間は、第３流体を各流路ユニット１８の外周に流通させる第３流路として機能する。
【００１６】
タンク入口部１４１とタンク出口部１４２は任意の位置に配置され得るが、タンク入口部１４１とタンク出口部１４２とは、或る程度離れて配置されるのが好ましい。
【００１７】
図１に示すように、タンク入口部１４１は、ユニット積層方向ＤＲｓに直交する方向においてタンク１４の一方側の側部１４７に設けられ、タンク出口部１４２は、タンク１４の他方側の側部１４８に設けられている。本実施形態では、タンク入口部１４１は、流路ユニット１８の長手幅に沿った長手幅方向ＤＲ１においてタンク１４の一方側に設けられ、タンク出口部１４２は、長手幅方向ＤＲ１においてタンク１４の他方側に設けられている。
【００１８】
また、タンク１４は、タンク入口部１４１およびタンク出口部１４２以外の部位からは第３流体が出入りしないように気密に構成されている。なお、タンク入口部１４１およびタンク出口部１４２は図１のII−II断面およびIII−III断面に表れないが、図２および図３では、タンク１４に対する第３流体の出入りを示すために、タンク入口部１４１およびタンク出口部１４２は二点鎖線で図示されている。また、図１は、図２および図３のI−I断面を示した断面図でもある。
【００１９】
図２および図３に示すように、複数の流路ユニット１８はそれぞれ、ユニット積層方向ＤＲｓを厚み方向とした扁平形状を成している。また、複数の流路ユニット１８は全て同一形状ではなく、複数の流路ユニット１８には、中間流路ユニット１８ａと一方端流路ユニット１８ｂと他方端流路ユニット１８ｃとが含まれている。なお、その中間流路ユニット１８ａと一方端流路ユニット１８ｂと他方端流路ユニット１８ｃとを区別せずに説明する場合には、総称して流路ユニット１８と呼ぶ。
【００２０】
ここで、中間流路ユニット１８ａは、その中間流路ユニット１８ａに対しユニット積層方向ＤＲｓの一方側にも他方側にも流路ユニット１８が隣接するように設けられたものである。また、一方端流路ユニット１８ｂは、複数の流路ユニット１８のうちユニット積層方向ＤＲｓの一方側の端に配置されたものである。また、他方端流路ユニット１８ｃは、複数の流路ユニット１８のうちユニット積層方向ＤＲｓの他方側の端に配置されたものである。
【００２１】
複数の流路ユニット１８は何れも、第１流体と第２流体とを流通させるために、図４に示すように、一端側第１連通部１８１と一端側第２連通部１８２と他端側第１連通部１８３と他端側第２連通部１８４と中間部１８５とを有している。なお、図４に示されている流路ユニット１８は詳細には中間流路ユニット１８ａである。
【００２２】
また、流路ユニット１８は長手幅と短手幅とを有している。その流路ユニット１８の長手幅に沿った長手幅方向ＤＲ１における流路ユニット１８の一端部１８ｄには、一端側第１連通部１８１と一端側第２連通部１８２とが配置されている。また、長手幅方向ＤＲ１における流路ユニット１８の他端部１８ｅには、他端側第１連通部１８３と他端側第２連通部１８４とが配置されている。
【００２３】
図２〜図４に示すように、流路ユニット１８の一端部１８ｄの中では、一端側第１連通部１８１と一端側第２連通部１８２は、流路ユニット１８の短手幅に沿った短手幅方向ＤＲ２に並んで設けられている。そして、一端側第１連通部１８１は、一端側第２連通部１８２に対し短手幅方向ＤＲ２の一方側に配置されている。
【００２４】
また、流路ユニット１８の他端部１８ｅの中では、他端側第１連通部１８３と他端側第２連通部１８４は短手幅方向ＤＲ２に並んで設けられている。そして、他端側第１連通部１８３は、他端側第２連通部１８４に対し短手幅方向ＤＲ２の他方側に配置されている。更に、一端側第１連通部１８１と他端側第２連通部１８４は長手幅方向ＤＲ１に並んで設けられ、一端側第２連通部１８２と他端側第１連通部１８３も長手幅方向ＤＲ１に並んで設けられている。
【００２５】
要するに、各連通部１８１、１８２、１８３、１８４は、長手幅方向ＤＲ１および短手幅方向ＤＲ２へ平面的に拡がる流路ユニット１８の四隅に配置されている。そして、一端側第１連通部１８１と他端側第１連通部１８３との並びは、一端側第２連通部１８２と他端側第２連通部１８４との並びに対し対角配置になっている。その対角配置とは、一方の並びが四角形の一の対角線に沿うように並び且つ他方の並びが他の対角線に沿うように並んだ配置である。
【００２６】
また、図４および図５に示すように、各流路ユニット１８の中間部１８５は、長手幅方向ＤＲ１において一端部１８ｄと他端部１８ｅとの間に配置されている。その中間部１８５には、第１流体が流れる第１流路１８５ａと、第２流体が流れる第２流路１８５ｂとが形成されている。そして、第１流路１８５ａと第２流路１８５ｂは中間部１８５の中でユニット積層方向ＤＲｓに積層され、第１流路１８５ａは第２流路１８５ｂに対しユニット積層方向ＤＲｓの一方側に配置されている。
【００２７】
なお、本実施形態では、第１流路１８５ａと第２流路１８５ｂは、図２および図５に示すように、上述した中間部１８５だけでなく、一端側第１連通部１８１と一端側第２連通部１８２との間にも及んでいる。更に、第１流路１８５ａと第２流路１８５ｂは、図３および図５に示すように、他端側第１連通部１８３と他端側第２連通部１８４との間にも及んでいる。
【００２８】
また、図２、３、５に示すように、複数の流路ユニット１８のうちの互いに隣接する流路ユニット１８の間では、一端側第１連通部１８１同士が接続されることにより、互いに隣接する流路ユニット１８の第１流路１８５ａ同士が一端部１８ｄ側にて連通している。それと共に、他端側第１連通部１８３同士が接続されることにより、互いに隣接する流路ユニット１８の第１流路１８５ａ同士が他端部１８ｅ側にて連通している。
【００２９】
これと同様に、互いに隣接する流路ユニット１８の間では、一端側第２連通部１８２同士が接続されることにより、互いに隣接する流路ユニット１８の第２流路１８５ｂ同士が一端部１８ｄ側にて連通している。それと共に、他端側第２連通部１８４同士が接続されることにより、互いに隣接する流路ユニット１８の第２流路１８５ｂ同士が他端部１８ｅ側にて連通している。
【００３０】
また、複数の流路ユニット１８のうちの一方端流路ユニット１８ｂでは、一端側第１連通部１８１に第１流体入口１８１ａが形成され、一端側第２連通部１８２に第２流体入口１８２ａが形成されている。また、他端側第１連通部１８３に第１流体出口１８３ａが形成され、他端側第２連通部１８４に第２流体出口１８４ａが形成されている。
【００３１】
その第１流体入口１８１ａには、第１入口部としての第１入口配管１６１が接続されている。これにより、第１流体入口１８１ａには、矢印Ｆ１ｉのように、ユニット積層部１２の外部から第１流体が第１入口配管１６１を通って流入する。
【００３２】
第２流体入口１８２ａには、第２入口部としての第２入口配管１７１が接続されている。これにより、第２流体入口１８２ａには、矢印Ｆ２ｉのように、ユニット積層部１２の外部から第２流体が第２入口配管１７１を通って流入する。
【００３３】
第１流体出口１８３ａには、第１出口部としての第１出口配管１６２が接続されている。これにより、第１流体出口１８３ａからは、矢印Ｆ１ｏのように、第１流体が第１出口配管１６２を通ってユニット積層部１２の外部へ流出する。
【００３４】
第２流体出口１８４ａには、第２出口部としての第２出口配管１７２が接続されている。これにより、第２流体出口１８４ａからは、矢印Ｆ２ｏのように、第２流体が第２出口配管１７２を通ってユニット積層部１２の外部へ流出する。なお、第１入口配管１６１と第１出口配管１６２と第２入口配管１７１と第２出口配管１７２は何れもタンク１４を貫通するように設けられている。
【００３５】
このような各流路ユニット１８の連結関係から、矢印Ｆ１ｉのようにユニット積層部１２に流入した第１流体は、複数の流路ユニット１８の直列に連結された一端側第１連通部１８１内を、矢印Ｆ１ａ、Ｆ１ｂのようにユニット積層方向ＤＲｓの一方側から他方側へ流通する。それと共に、その第１流体は各流路ユニット１８の第１流路１８５ａへ分配され、その第１流路１８５ａを流通してから各流路ユニット１８の他端側第１連通部１８３へ流入する。この第１流路１８５ａにおける第１流体の流れは図２、３、５では実線矢印で示されており、例えば図５では矢印Ｆ１ｃ、Ｆ１ｄ、Ｆ１ｅで示されている。このことは後述の図でも同様である。
【００３６】
各他端側第１連通部１８３へ流入した第１流体は、直列に連結された複数の他端側第１連通部１８３内を、図３の矢印Ｆ１ｆ、Ｆ１ｇのようにユニット積層方向ＤＲｓの他方側から一方側へ流通する。その後に、第１流体は、矢印Ｆ１ｏのようにユニット積層部１２の第１流体出口１８３ａから流出する。
【００３７】
一方、図２の矢印Ｆ２ｉのようにユニット積層部１２に流入した第２流体は、複数の流路ユニット１８の直列に連結された一端側第２連通部１８２内を、矢印Ｆ２ａ、Ｆ２ｂのようにユニット積層方向ＤＲｓの一方側から他方側へ流通する。それと共に、その第２流体は各流路ユニット１８の第２流路１８５ｂへ分配され、図２、３、５に示すように、その第２流路１８５ｂを流通してから各流路ユニット１８の他端側第２連通部１８４へ流入する。この第２流路１８５ｂにおける第２流体の流れは図２、３、５では破線矢印で示されており、例えば図５では矢印Ｆ２ｃ、Ｆ２ｄ、Ｆ２ｅで示されている。このことは後述の図でも同様である。
【００３８】
各他端側第２連通部１８４へ流入した第２流体は、直列に連結された複数の他端側第２連通部１８４内を、図３の矢印Ｆ２ｆ、Ｆ２ｇのようにユニット積層方向ＤＲｓの他方側から一方側へ流通する。その後に、第２流体は、矢印Ｆ２ｏのようにユニット積層部１２の第２流体出口１８４ａから流出する。
【００３９】
第１流体および第２流体はユニット積層部１２内ではこのように流れるので、ユニット積層部１２をユニット積層方向ＤＲｓの一方側から見た場合、例えば各流路ユニット１８の中間部１８５では第１流体はおおよそ図１の矢印Ｆ１ｓのように流れる。すなわち、その中間部１８５では第１流体は、一端側第１連通部１８１から他端側第１連通部１８３へ向けて流れる。その一方で、第２流体はおおよそ図１の矢印Ｆ２ｓのように流れる。すなわち、その中間部１８５では第２流体は、一端側第２連通部１８２から他端側第２連通部１８４へ向けて流れる。
【００４０】
要するに、図１の矢印Ｆ１ｓ、Ｆ２ｓに示すように、第１流体の主流と第２流体の主流は中間部１８５では互いに異なる向きに流れつつ、流路ユニット１８の一端部１８ｄから他端部１８ｅへと流れる。
【００４１】
また、互いに隣接する流路ユニット１８同士は、各連通部１８１、１８２、１８３、１８４にて互いに接合されて一体となっているが、その連通部１８１、１８２、１８３、１８４以外の部位では、ユニット積層方向ＤＲｓへ互いに離れている。
【００４２】
従って図２、３、５に示すように、互いに隣接する流路ユニット１８の中間部１８５同士の間には、ユニット積層方向ＤＲｓの隙間（言い換えれば、クリアランス）であるユニット相互隙間１８ｆが形成されている。そして、このユニット相互隙間１８ｆは、一端側第１連通部１８１と一端側第２連通部１８２との間における一端部１８ｄ同士の間にも、他端側第１連通部１８３と他端側第２連通部１８４との間における他端部１８ｅ同士の間にも及んでいる。このユニット相互隙間１８ｆはタンク１４内の空間の一部として形成されているので、ユニット相互隙間１８ｆにはタンク１４内の第３流体が流通する。
【００４３】
次に、流路ユニット１８の具体的な構成について説明する。先ず、何れの流路ユニット１８でも共通の構成について説明する。図４に示すように、複数の流路ユニット１８はそれぞれ、ユニット積層方向ＤＲｓに積層された３つのプレート部材２２、２４、２６から構成されている。すなわち、その流路ユニット１８はそれぞれ、一対の外殻プレート２２、２４と、隔壁プレート２６とを有している。その隔壁プレート２６は、プレス加工等で成形された一体成形品であり、これと同様に外殻プレート２２、２４も各々、一体成形品である。
【００４４】
それらのプレート部材２２、２４、２６など流路ユニット１８の各構成部材、すなわち、ユニット積層部１２の各構成部材は、アルミニウム合金等の金属製である。そして、そのユニット積層部１２の各構成部材が一体にろう付け接合されることで、ユニット積層部１２は構成されている。
【００４５】
また、一対の外殻プレート２２、２４のうちの一方である一方側外殻プレート２２は、その一方側外殻プレート２２の中心位置を通り且つユニット積層方向ＤＲｓに沿った基準軸線まわりに点対称の形状となっている。これと同様に、一対の外殻プレート２２、２４のうちの他方である他方側外殻プレート２４も、隔壁プレート２６も、点対称の形状となっている。
【００４６】
更に、隔壁プレート２６は、その形状がユニット積層方向ＤＲｓに１８０°反転させた形状に一致する表裏対称形状になっている。
【００４７】
図２〜図５に示すように、個々の流路ユニット１８では、一方側外殻プレート２２は、隔壁プレート２６に対しユニット積層方向ＤＲｓの一方側に積層配置されている。そして、その一方側外殻プレート２２は隔壁プレート２６に接合されている。
【００４８】
詳細には、一方側外殻プレート２２は、長手幅方向ＤＲ１および短手幅方向ＤＲ２へ平面状に拡がるプレート基部２２１と、そのプレート基部２２１の周縁部分でユニット積層方向ＤＲｓの他方側へ立ち上がった短い筒状の外周壁２２２とを有している。そして、一方側外殻プレート２２は、その外周壁２２２の先端部分にて隔壁プレート２６に接合されている。そのため、一方側外殻プレート２２と隔壁プレート２６との間には、長手幅方向ＤＲ１および短手幅方向ＤＲ２へ拡がった第１流路１８５ａとして空間が形成されている。
【００４９】
また、他方側外殻プレート２４は、隔壁プレート２６に対しユニット積層方向ＤＲｓの他方側に積層配置されている。そして、その他方側外殻プレート２４は隔壁プレート２６に接合されている。
【００５０】
詳細には、他方側外殻プレート２４は、長手幅方向ＤＲ１および短手幅方向ＤＲ２へ平面状に拡がるプレート基部２４１と、そのプレート基部２４１の周縁部分でユニット積層方向ＤＲｓの一方側へ立ち上がった短い筒状の外周壁２４２とを有している。そして、他方側外殻プレート２４は、その外周壁２４２の先端部分にて隔壁プレート２６に接合されている。そのため、他方側外殻プレート２４と隔壁プレート２６との間には、長手幅方向ＤＲ１および短手幅方向ＤＲ２へ拡がった第２流路１８５ｂとして空間が形成されている。そして、その第２流路１８５ｂは、隔壁プレート２６によって第１流路１８５ａと隔てられている。
【００５１】
従って、各流路ユニット１８内において第１流路１８５ａの第１流体と第２流路１８５ｂの第２流体は隔壁プレート２６を介して熱交換する。更に、上述したように流路ユニット１８の相互間にはユニット相互隙間１８ｆが形成されているので、第１流路１８５ａの第１流体は一方側外殻プレート２２を介してタンク１４内の第３流体と熱交換する。そして、第２流路１８５ｂの第２流体は他方側外殻プレート２４を介してタンク１４内の第３流体と熱交換する。
【００５２】
一方側外殻プレート２２のプレート基部２２１は、ユニット積層方向ＤＲｓにおけるそのプレート基部２２１の他方側に、第１流路１８５ａに面する内壁面２２１ｅを形成している。その一方側外殻プレート２２の内壁面２２１ｅは、例えば、ユニット積層方向ＤＲｓの他方側を向いた平面形状を成している。これに対し、他方側外殻プレート２４のプレート基部２４１は、ユニット積層方向ＤＲｓにおけるそのプレート基部２４１の一方側に、第２流路１８５ｂに面する内壁面２４１ｅを形成している。その他方側外殻プレート２４の内壁面２４１ｅは、例えば、ユニット積層方向ＤＲｓの一方側を向いた平面形状を成している。
【００５３】
隔壁プレート２６は、一端側第１連通部１８１に含まれる第１隔壁突出部２６１と、一端側第２連通部１８２に含まれる第２隔壁突出部２６２と、他端側第１連通部１８３に含まれる第３隔壁突出部２６３と、他端側第２連通部１８４に含まれる第４隔壁突出部２６４とを有している。
【００５４】
その第１隔壁突出部２６１と第３隔壁突出部２６３はユニット積層方向ＤＲｓの他方側へ突き出ている。例えばユニット積層方向ＤＲｓの一方側を凸方向とすれば、第１隔壁突出部２６１と第３隔壁突出部２６３は凹形状を成している。
【００５５】
具体的には、第１隔壁突出部２６１は、ユニット積層方向ＤＲｓの他方側へ突き出た円筒状の筒状壁部２６１ａと、その筒状壁部２６１ａの先端部分を覆うように形成された平板状の頂部２６１ｂとから構成されている。そして、これと同様に、第３隔壁突出部２６３も筒状壁部２６３ａと頂部２６３ｂとから構成されている。
【００５６】
また、第２隔壁突出部２６２と第４隔壁突出部２６４はユニット積層方向ＤＲｓの一方側へ突き出ている。例えばユニット積層方向ＤＲｓの一方側を凸方向とすれば、第２隔壁突出部２６２と第４隔壁突出部２６４は凸形状を成している。
【００５７】
具体的には、第２隔壁突出部２６２は、ユニット積層方向ＤＲｓの一方側へ突き出た円筒状の筒状壁部２６２ａと、その筒状壁部２６２ａの先端部分を覆うように形成された平板状の頂部２６２ｂとから構成されている。そして、これと同様に、第４隔壁突出部２６４も筒状壁部２６４ａと頂部２６４ｂとから構成されている。
【００５８】
本実施形態では、第１隔壁突出部２６１と第３隔壁突出部２６３は互いに同じ凹形状を成し、第２隔壁突出部２６２と第４隔壁突出部２６４は互いに同じ凸形状を成ている。更に、第１および第３隔壁突出部２６１、２６３の凹形状をユニット積層方向ＤＲｓに反転させた形状および寸法は、第２および第４隔壁突出部２６２、２６４の凸形状と同じになる。
【００５９】
また、第１隔壁突出部２６１の頂部２６１ｂには、その頂部２６１ｂをユニット積層方向ＤＲｓへ貫通する第１隔壁孔２６１ｃが形成されている。同様に、第２隔壁突出部２６２の頂部２６２ｂには、その頂部２６２ｂをユニット積層方向ＤＲｓへ貫通する第２隔壁孔２６２ｃが形成されている。また、第３隔壁突出部２６３の頂部２６３ｂには、その頂部２６３ｂをユニット積層方向ＤＲｓへ貫通する第３隔壁孔２６３ｃが形成されている。また、第４隔壁突出部２６４の頂部２６４ｂには、その頂部２６４ｂをユニット積層方向ＤＲｓへ貫通する第４隔壁孔２６４ｃが形成されている。
【００６０】
また、ユニット積層方向ＤＲｓにおける第２および第４隔壁突出部２６２、２６４の凸高さＨｔ（図４参照）は、一方側外殻プレート２２の外周壁２２２の先端から内壁面２２１ｅまでのユニット積層方向ＤＲｓの凹高さと同じ寸法とされている。このことは、第１および第３隔壁突出部２６１、２６３の凸高さと他方側外殻プレート２４の凹高さとの関係でも同様である。
【００６１】
このような寸法関係から、第１隔壁突出部２６１の頂部２６１ｂと第３隔壁突出部２６３の頂部２６３ｂはそれぞれ、他方側外殻プレート２４の内壁面２４１ｅに対してユニット積層方向ＤＲｓに当接し、その内壁面２４１ｅに接合されている。これと同様に、第２隔壁突出部２６２の頂部２６２ｂと第４隔壁突出部２６４の頂部２６４ｂはそれぞれ、一方側外殻プレート２２の内壁面２２１ｅに対してユニット積層方向ＤＲｓに当接し、その内壁面２２１ｅに接合されている。
【００６２】
以上、説明した流路ユニット１８の構成は何れの流路ユニット１８でも共通であるが、中間流路ユニット１８ａと一方端流路ユニット１８ｂと他方端流路ユニット１８ｃとの間で異なる構成も存在する。
【００６３】
中間流路ユニット１８ａについて説明すると、中間流路ユニット１８ａでは、図４の矢印ＡＲｒのように一方側外殻プレート２２をユニット積層方向ＤＲｓに１８０°反転させた形状が他方側外殻プレート２４と同じ形状になるように、各外殻プレート２２、２４は形成されている。従って、中間流路ユニット１８ａにおける外殻プレート２２、２４の配置および向きは互いに異なるものの、それらの外殻プレート２２、２４は、本実施形態では同一の部品である。
【００６４】
図２〜図４に示すように、中間流路ユニット１８ａにおいて一方側外殻プレート２２のプレート基部２２１は、第１一方側連通部２２１ａと第２一方側連通部２２１ｂと第３一方側連通部２２１ｃと第４一方側連通部２２１ｄとを有している。これと同様に、他方側外殻プレート２４のプレート基部２４１は、第１他方側連通部２４１ａと第２他方側連通部２４１ｂと第３他方側連通部２４１ｃと第４他方側連通部２４１ｄとを有している。
【００６５】
第１一方側連通部２２１ａと第１他方側連通部２４１ａは一端側第１連通部１８１に含まれ、第２一方側連通部２２１ｂと第２他方側連通部２４１ｂは一端側第２連通部１８２に含まれている。また、第３一方側連通部２２１ｃと第３他方側連通部２４１ｃは他端側第１連通部１８３に含まれ、第４一方側連通部２２１ｄと第４他方側連通部２４１ｄは他端側第２連通部１８４に含まれている。
【００６６】
また、中間流路ユニット１８ａの一方側外殻プレート２２において第１一方側連通部２２１ａと第３一方側連通部２２１ｃはユニット積層方向ＤＲｓの一方側へ突き出ている。例えばユニット積層方向ＤＲｓの一方側を凸方向とすれば、第１一方側連通部２２１ａと第３一方側連通部２２１ｃは凸形状を成している。本実施形態では、その第１一方側連通部２２１ａと第３一方側連通部２２１ｃは互いに同じ寸法で且つ同じ形状を成している。
【００６７】
具体的に、その第１一方側連通部２２１ａは、ユニット積層方向ＤＲｓの一方側へ突き出た円筒状の筒状壁部２２１ｆと、その筒状壁部２２１ｆの先端部分を覆うように形成された頂部２２１ｇとから構成されている。そして、これと同様に、その第３一方側連通部２２１ｃも筒状壁部２２１ｊと頂部２２１ｋとから構成されている。
【００６８】
そして、第１一方側連通部２２１ａの頂部２２１ｇには、その頂部２２１ｇをユニット積層方向ＤＲｓへ貫通し且つ第１流路１８５ａに連通する第１一方側連通孔２２１ｈが形成されている。同様に、第３一方側連通部２２１ｃの頂部２２１ｋには、その頂部２２１ｋをユニット積層方向ＤＲｓへ貫通し且つ第１流路１８５ａに連通する第３一方側連通孔２２１ｍが形成されている。
【００６９】
また、第２一方側連通部２２１ｂには、その第２一方側連通部２２１ｂをユニット積層方向ＤＲｓへ貫通する第２一方側連通孔２２１ｉが形成されている。また、第４一方側連通部２２１ｄには、その第４一方側連通部２２１ｄをユニット積層方向ＤＲｓへ貫通する第４一方側連通孔２２１ｎが形成されている。但し、第２一方側連通部２２１ｂと第４一方側連通孔２２１ｎは、上記の第１一方側連通部２２１ａと第３一方側連通部２２１ｃのようには凸形状になっておらず、中間部１８５におけるプレート基部２２１から連続する平面形状を成している。
【００７０】
このような一方側外殻プレート２２とは逆に、中間流路ユニット１８ａの他方側外殻プレート２４において第２他方側連通部２４１ｂと第４他方側連通部２４１ｄはユニット積層方向ＤＲｓの他方側へ突き出ている。例えばユニット積層方向ＤＲｓの一方側を凸方向とすれば、第２他方側連通部２４１ｂと第４他方側連通部２４１ｄは凹形状を成している。本実施形態では、その第２他方側連通部２４１ｂと第４他方側連通部２４１ｄは互いに同じ寸法で且つ同じ形状を成している。
【００７１】
具体的に、その第２他方側連通部２４１ｂは、ユニット積層方向ＤＲｓの他方側へ突き出た円筒状の筒状壁部２４１ｇと、その筒状壁部２４１ｇの先端部分を覆うように形成された頂部２４１ｈとから構成されている。そして、これと同様に、その第４他方側連通部２４１ｄも筒状壁部２４１ｋと頂部２４１ｍとから構成されている。
【００７２】
そして、第２他方側連通部２４１ｂの頂部２４１ｈには、その頂部２４１ｈをユニット積層方向ＤＲｓへ貫通し且つ第２流路１８５ｂに連通する第２他方側連通孔２４１ｉが形成されている。同様に、第４他方側連通部２４１ｄの頂部２４１ｍには、その頂部２４１ｍをユニット積層方向ＤＲｓへ貫通し且つ第２流路１８５ｂに連通する第４他方側連通孔２４１ｎが形成されている。
【００７３】
また、第１他方側連通部２４１ａには、その第１他方側連通部２４１ａをユニット積層方向ＤＲｓへ貫通する第１他方側連通孔２４１ｆが形成されている。また、第３他方側連通部２４１ｃには、その第３他方側連通部２４１ｃをユニット積層方向ＤＲｓへ貫通する第３他方側連通孔２４１ｊが形成されている。但し、第１他方側連通部２４１ａと第３他方側連通部２４１ｃは、上記の第２他方側連通部２４１ｂと第４他方側連通部２４１ｄのようには凹形状になっておらず、中間部１８５におけるプレート基部２４１から連続する平面形状を成している。
【００７４】
また、第１一方側連通孔２２１ｈ、第１隔壁孔２６１ｃ、および第１他方側連通孔２４１ｆは、ユニット積層方向ＤＲｓに沿った同軸上に配置されている。また、第２一方側連通孔２２１ｉ、第２隔壁孔２６２ｃ、および第２他方側連通孔２４１ｉは、ユニット積層方向ＤＲｓに沿った同軸上に配置されている。また、第３一方側連通孔２２１ｍ、第３隔壁孔２６３ｃ、および第３他方側連通孔２４１ｊは、ユニット積層方向ＤＲｓに沿った同軸上に配置されている。また、第４一方側連通孔２２１ｎ、第４隔壁孔２６４ｃ、および第４他方側連通孔２４１ｎは、ユニット積層方向ＤＲｓに沿った同軸上に配置されている。
【００７５】
中間流路ユニット１８ａでは、隔壁プレート２６の第１隔壁突出部２６１の頂部２６１ｂは、第１隔壁孔２６１ｃを第１他方側連通孔２４１ｆへ連通させるように、他方側外殻プレート２４の内壁面２４１ｅのうち第１他方側連通部２４１ａに属する部位に接合されている。この接合によって、第１他方側連通孔２４１ｆは、第２流路１８５ｂと隔てられつつ第１流路１８５ａに連通している。
【００７６】
また、第２隔壁突出部２６２の頂部２６２ｂは、第２隔壁孔２６２ｃを第２一方側連通孔２２１ｉへ連通させるように、一方側外殻プレート２２の内壁面２２１ｅのうち第２一方側連通部２２１ｂに属する部位に接合されている。この接合によって、第２一方側連通孔２２１ｉは、第１流路１８５ａと隔てられつつ第２流路１８５ｂに連通している。
【００７７】
また、第３隔壁突出部２６３の頂部２６３ｂは、第３隔壁孔２６３ｃを第３他方側連通孔２４１ｊへ連通させるように、他方側外殻プレート２４の内壁面２４１ｅのうち第３他方側連通部２４１ｃに属する部位に接合されている。この接合によって、第３他方側連通孔２４１ｊは、第２流路１８５ｂと隔てられつつ第１流路１８５ａに連通している。
【００７８】
また、第４他方側連通部２４１ｄの頂部２４１ｍは、第４隔壁孔２６４ｃを第４一方側連通孔２２１ｎへ連通させるように、一方側外殻プレート２２の内壁面２２１ｅのうち第４一方側連通部２２１ｄに属する部位に接合されている。この接合によって、第４一方側連通孔２２１ｎは、第１流路１８５ａと隔てられつつ第２流路１８５ｂに連通している。
【００７９】
次に、一方端流路ユニット１８ｂについて説明すると、図２、３、５に示すように、一方端流路ユニット１８ｂの一方側外殻プレート２２は、ユニット積層部１２のトッププレートとしての役割を果たす。そのため、一方端流路ユニット１８ｂの一方側外殻プレート２２は中間流路ユニット１８ａの一方側外殻プレート２２と異なっている。その一方で、一方端流路ユニット１８ｂのうち、それ以外の部分は中間流路ユニット１８ａと同じである。すなわち、一方端流路ユニット１８ｂの他方側外殻プレート２４は中間流路ユニット１８ａの他方側外殻プレート２４と同じであり、一方端流路ユニット１８ｂの隔壁プレート２６は中間流路ユニット１８ａの隔壁プレート２６と同じである。
【００８０】
上述したように、第１流体入口１８１ａ、第２流体入口１８２ａ、第１流体出口１８３ａ、および第２流体出口１８４ａは一方端流路ユニット１８ｂに形成されている。詳細には、それらの出入口１８１ａ、１８２ａ、１８３ａ、１８４ａは一方端流路ユニット１８ｂの一方側外殻プレート２２のプレート基部２２１を貫通する貫通孔として形成されている。
【００８１】
すなわち、一方端流路ユニット１８ｂの一方側外殻プレート２２は、第１接続口としての第１流体入口１８１ａが形成された第１接続部２２３ａと、第２接続口としての第２流体入口１８２ａが形成された第２接続部２２３ｂとを有している。そして、その一方側外殻プレート２２は、第３接続口としての第１流体出口１８３ａが形成された第３接続部２２３ｃと、第４接続口としての第２流体出口１８４ａが形成された第４接続部２２３ｄとを有している。
【００８２】
従って、一方端流路ユニット１８ｂでは、一方側外殻プレート２２の第１接続部２２３ａは、第１流体が流入する第１流入部として機能し、第２接続部２２３ｂは、第２流体が流入する第２流入部として機能する。そして、第３接続部２２３ｃは、第１流体を排出する第１排出部として機能し、第４接続部２２３ｄは、第２流体を排出する第２排出部として機能する。
【００８３】
この一方端流路ユニット１８ｂの第１接続部２２３ａは中間流路ユニット１８ａの第１一方側連通部２２１ａに対応し、第１流体入口１８１ａは、第１一方側連通孔２２１ｈと同軸上に配置された貫通孔として形成されている。また、一方端流路ユニット１８ｂの第２接続部２２３ｂは中間流路ユニット１８ａの第２一方側連通部２２１ｂに対応し、第２流体入口１８２ａは、第２一方側連通孔２２１ｉと同軸上に配置された貫通孔として形成されている。
【００８４】
また、一方端流路ユニット１８ｂの第３接続部２２３ｃは中間流路ユニット１８ａの第３一方側連通部２２１ｃに対応し、第１流体出口１８３ａは、第３一方側連通孔２２１ｍと同軸上に配置された貫通孔として形成されている。また、一方端流路ユニット１８ｂの第４接続部２２３ｄは中間流路ユニット１８ａの第４一方側連通部２２１ｄに対応し、第２流体出口１８４ａは、第４一方側連通孔２２１ｎと同軸上に配置された貫通孔として形成されている。
【００８５】
一方端流路ユニット１８ｂにおいて第１流体入口１８１ａと第１流体出口１８３ａは、第１流路１８５ａへ開放され、その一方で、隔壁プレート２６によって第２流路１８５ｂから隔てられている。
【００８６】
また、第２流体入口１８２ａは第２隔壁孔２６２ｃを介して第２流路１８５ｂへ開放され、第２流体出口１８４ａは第４隔壁孔２６４ｃを介して第２流路１８５ｂへ開放されている。その一方で、第２流体入口１８２ａは、一方端流路ユニット１８ｂの第２隔壁突出部２６２の頂部２６２ｂが一方側外殻プレート２２の内壁面２２１ｅに接合されることにより、第１流路１８５ａから隔てられている。これと同様に、第２流体出口１８４ａは、一方端流路ユニット１８ｂの第４隔壁突出部２６４の頂部２６４ｂが一方側外殻プレート２２の内壁面２２１ｅに接合されることにより、第１流路１８５ａから隔てられている。一方端流路ユニット１８ｂの一方側外殻プレート２２は、以上述べた点を除き、中間流路ユニット１８ａの一方側外殻プレート２２と同じである。
【００８７】
次に、他方端流路ユニット１８ｃについて説明すると、図２、３、５に示すように、他方端流路ユニット１８ｃの他方側外殻プレート２４は、ユニット積層部１２のボトムプレートとしての役割を果たす。そのため、他方端流路ユニット１８ｃの他方側外殻プレート２４は中間流路ユニット１８ａの他方側外殻プレート２４と異なっている。その一方で、他方端流路ユニット１８ｃのうち、それ以外の部分は中間流路ユニット１８ａと同じである。すなわち、他方端流路ユニット１８ｃの一方側外殻プレート２２は中間流路ユニット１８ａの一方側外殻プレート２２と同じであり、一方端流路ユニット１８ｂの隔壁プレート２６は中間流路ユニット１８ａの隔壁プレート２６と同じである。
【００８８】
他方端流路ユニット１８ｃの他方側外殻プレート２４には、その他方端流路ユニット１８ｃ内の第１流路１８５ａに連通する孔も、他方端流路ユニット１８ｃ内の第２流路１８５ｂに連通する孔も形成されていない。要するに、中間流路ユニット１８ａの他方側外殻プレート２４に形成された連通孔２４１ｆ、２４１ｉ、２４１ｊ、２４１ｎに相当する孔は、他方端流路ユニット１８ｃの他方側外殻プレート２４には一切無い。そして、他方端流路ユニット１８ｃの他方側外殻プレート２４のプレート基部２４１には凸形状も凹形状も形成されていない。
【００８９】
従って、他方端流路ユニット１８ｃの他方側外殻プレート２４は、中間流路ユニット１８ａの連通部２４１ａ、２４１ｂ、２４１ｃ、２４１ｄに相当する部位を備えていない。そのため、他方端流路ユニット１８ｃの他方側外殻プレート２４のプレート基部２４１は平面的に形成されている。
【００９０】
また、他方端流路ユニット１８ｃでも、中間流路ユニット１８ａと同様に、第１隔壁突出部２６１の頂部２６１ｂと第３隔壁突出部２６３の頂部２６３ｂはそれぞれ、他方側外殻プレート２４の内壁面２４１ｅに接合されている。但し、その接合では、隔壁プレート２６の第１隔壁孔２６１ｃと第３隔壁孔２６３ｃとが他方側外殻プレート２４の内壁面２４１ｅによって塞がれている。これにより、他方端流路ユニット１８ｃ内において、第１流体と第２流体とが、その第１隔壁孔２６１ｃまたは第３隔壁孔２６３ｃを介して混ざり合わないようになっている。他方端流路ユニット１８ｃの他方側外殻プレート２４は、以上述べた点を除き、中間流路ユニット１８ａの他方側外殻プレート２４と同じである。
【００９１】
次に、複数の流路ユニット１８の中で互いに隣接する流路ユニット１８同士の接続関係について説明する。その互いに隣接する流路ユニット１８同士のうちユニット積層方向ＤＲｓの一方側のものを一方側の流路ユニット１８と呼び、他方側のものを他方側の流路ユニット１８と呼ぶものとする。例えば本実施形態では中間流路ユニット１８ａが１つであるので、中間流路ユニット１８ａが他方側の流路ユニット１８に該当するとすれば、一方側の流路ユニット１８には一方端流路ユニット１８ｂが該当する。逆に、中間流路ユニット１８ａが一方側の流路ユニット１８に該当するとすれば、他方側の流路ユニット１８には他方端流路ユニット１８ｃが該当する。
【００９２】
図２および図４に示すように、他方側の流路ユニット１８の第１一方側連通部２２１ａは、一方側の流路ユニット１８の第１他方側連通部２４１ａに対しユニット積層方向ＤＲｓに当接して接合されている。そして、その接合された状態において、その他方側の流路ユニット１８の第１一方側連通孔２２１ｈと、その一方側の流路ユニット１８の第１他方側連通孔２４１ｆとが互いに重なるように配置されている。これにより、その第１一方側連通孔２２１ｈと第１他方側連通孔２４１ｆとが１つの連通孔になるので、その他方側の流路ユニット１８の第１流路１８５ａと、その一方側の流路ユニット１８の第１流路１８５ａとが、双方の一端側第１連通部１８１を介して互いに連通する。
【００９３】
また、他方側の流路ユニット１８の第２一方側連通部２２１ｂは、一方側の流路ユニット１８の第２他方側連通部２４１ｂに対しユニット積層方向ＤＲｓに当接して接合されている。そして、その接合された状態において、その他方側の流路ユニット１８の第２一方側連通孔２２１ｉと、その一方側の流路ユニット１８の第２他方側連通孔２４１ｉとが互いに重なるように配置されている。これにより、その第２一方側連通孔２２１ｉと第２他方側連通孔２４１ｉとが１つの連通孔になるので、その他方側の流路ユニット１８の第２流路１８５ｂと、その一方側の流路ユニット１８の第２流路１８５ｂとが、双方の一端側第２連通部１８２を介して互いに連通する。
【００９４】
また、図３および図４に示すように、他方側の流路ユニット１８の第３一方側連通部２２１ｃは、一方側の流路ユニット１８の第３他方側連通部２４１ｃに対しユニット積層方向ＤＲｓに当接して接合されている。そして、その接合された状態において、その他方側の流路ユニット１８の第３一方側連通孔２２１ｍと、その一方側の流路ユニット１８の第３他方側連通孔２４１ｊとが互いに重なるように配置されている。これにより、その第３一方側連通孔２２１ｍと第３他方側連通孔２４１ｊとが１つの連通孔になるので、その他方側の流路ユニット１８の第１流路１８５ａと、その一方側の流路ユニット１８の第１流路１８５ａとが、双方の他端側第１連通部１８３を介して互いに連通する。
【００９５】
また、他方側の流路ユニット１８の第４一方側連通部２２１ｄは、一方側の流路ユニット１８の第４他方側連通部２４１ｄに対しユニット積層方向ＤＲｓに当接して接合されている。そして、その接合された状態において、その他方側の流路ユニット１８の第４一方側連通孔２２１ｎと、その一方側の流路ユニット１８の第４他方側連通孔２４１ｎとが互いに重なるように配置されている。これにより、その第４一方側連通孔２２１ｎと第４他方側連通孔２４１ｎとが１つの連通孔になるので、その他方側の流路ユニット１８の第２流路１８５ｂと、その一方側の流路ユニット１８の第２流路１８５ｂとが、双方の他端側第２連通部１８４を介して互いに連通する。
【００９６】
このようにして複数の流路ユニット１８は相互に接続されているので、図２、３、５に示すように、第１流体入口１８１ａと第１流体出口１８３ａは、それぞれの流路ユニット１８の第２流路１８５ｂと隔てられつつ第１流路１８５ａに連通している。そして、第２流体入口１８２ａと第２流体出口１８４ａは、それぞれの流路ユニット１８の第１流路１８５ａと隔てられつつ第２流路１８５ｂに連通している。
【００９７】
本実施形態の熱交換器１０の作用効果について述べる。上述したように、本実施形態によれば図２、３、５に示すように、ユニット積層部１２は複数の流路ユニット１８を有し、それぞれの流路ユニット１８には、第１流体が流れる第１流路１８５ａと、第２流体が流れる第２流路１８５ｂとが形成されている。そして、そのユニット積層部１２を収容するタンク１４内には第３流体が流通する。更に、互いに隣接する流路ユニット１８の中間部１８５同士の間には、第３流体が流通するユニット相互隙間１８ｆが形成されている。従って、第１流体と第２流体と第３流体とを相互に熱交換させることが可能である。
【００９８】
それと共に、タンク入口部１４１とタンク出口部１４２とをユニット積層方向ＤＲｓとは無関係に配置することができる。すなわち、第３流体を熱交換器１０に出入りさせる配管をタンク１４内におけるユニット積層部１２の向き又は姿勢に制約されずに配置することができる。これにより、熱交換器１０に出入りする流体を流す配管のレイアウト上の制約、特に第３流体を流す配管のレイアウト上の制約を、特許文献１の車両用熱交換器と比較して緩くすることが可能である。その結果として、第３流体を流す配管のレイアウトに関する設計自由度が向上し、例えばタンク１４内での第３流体の偏流を抑える設計も容易になる。
【００９９】
また、特許文献１の車両用熱交換器では第１〜３作動流体の入口と出口とを３つずつ並べるスペースが必要とされるため、車両用熱交換器の幅寸法を一定以上確保する必要がある。これに対し、第３流体を流すためのタンク入口部１４１とタンク出口部１４２とを任意に配置できるので、第１〜３流体を出入りさせるための配管スペースの確保に関して制約が緩い。そのため、本実施形態の熱交換器１０では、特許文献１の車両用熱交換器と比較して小型化が容易である。
【０１００】
また、本実施形態によれば図４に示すように、中間流路ユニット１８ａの一対の外殻プレート２２、２４は同一の部品である。そのため、その中間流路ユニット１８ａでは、その外殻プレート２２、２４と隔壁プレート２６との２種類の部品だけで第１流路１８５ａと第２流路１８５ｂとを形成することが可能である。すなわち、中間流路ユニット１８ａを簡素な部品構成とすることが可能である。また、中間流路ユニット１８ａはユニット積層方向ＤＲｓに表裏を持たないので、製造工程を簡素にすることが可能である。
【０１０１】
また、本実施形態によれば図２〜５に示すように、個々の流路ユニット１８では、一方側外殻プレート２２は、隔壁プレート２６に対しユニット積層方向ＤＲｓの一方側に積層配置されると共に、その隔壁プレート２６に接合されている。他方側外殻プレート２４は、隔壁プレート２６に対しユニット積層方向ＤＲｓの他方側に積層配置されると共に、その隔壁プレート２６に接合されている。また、第１流路１８５ａは、一方側外殻プレート２２と隔壁プレート２６との間に形成されている。その一方で、第２流路１８５ｂは、他方側外殻プレート２４と隔壁プレート２６との間に形成され、その隔壁プレート２６によって第１流路１８５ａと隔てられている。
【０１０２】
従って、第１流体と第２流体との混合を隔壁プレート２６によって防止しつつ、簡素な積層構造によって、１つの流路ユニット１８内に第１流路１８５ａと第２流路１８５ｂとを形成することが可能である。
【０１０３】
また、本実施形態によれば、一端側第１連通部１８１と他端側第１連通部１８３との並びは、一端側第２連通部１８２と他端側第２連通部１８４との並びに対し対角配置になっている。隔壁プレート２６は、一端側第１連通部１８１に含まれユニット積層方向ＤＲｓの他方側へ突き出た第１隔壁突出部２６１と、一端側第２連通部１８２に含まれユニット積層方向ＤＲｓの一方側へ突き出た第２隔壁突出部２６２とを有している。そして、隔壁プレートは、他端側第１連通部１８３に含まれユニット積層方向ＤＲｓの他方側へ突き出た第３隔壁突出部２６３と、他端側第２連通部１８４に含まれユニット積層方向ＤＲｓの一方側へ突き出た第４隔壁突出部２６４とを有している。第１隔壁突出部２６１の頂部２６１ｂと第３隔壁突出部２６３の頂部２６３ｂはそれぞれ、他方側外殻プレート２４の内壁面２４１ｅに対しユニット積層方向ＤＲｓに当接している。第２隔壁突出部２６２の頂部２６２ｂと第４隔壁突出部２６４の頂部２６４ｂはそれぞれ、一方側外殻プレート２２の内壁面２２１ｅに対しユニット積層方向ＤＲｓに当接している。
【０１０４】
従って、一端側第１連通部１８１および他端側第１連通部１８３では第１流体が流路ユニット１８相互間で流通でき、且つ一端側第２連通部１８２および他端側第２連通部１８４では第２流体が流路ユニット１８相互間で流通できるように、隔壁プレート２６を形成することが可能である。そして、その隔壁プレート２６を、ユニット積層方向ＤＲｓに沿った軸線まわりに点対称の形状として、流路ユニット１８の製造工程を簡素化することが可能である。
【０１０５】
また、本実施形態によれば、中間流路ユニット１８ａでは、第１一方側連通部２２１ａと第３一方側連通部２２１ｃはユニット積層方向ＤＲｓの一方側へ突き出ている。そして、第１一方側連通部２２１ａの頂部２２１ｇには第１一方側連通孔２２１ｈが形成され、第３一方側連通部２２１ｃの頂部２２１ｋには第３一方側連通孔２２１ｍが形成されている。また、第２他方側連通部２４１ｂと第４他方側連通部２４１ｄはユニット積層方向ＤＲｓの他方側へ突き出ている。そして、第２他方側連通部２４１ｂの頂部２４１ｈには第２他方側連通孔２４１ｉが形成され、第４他方側連通部２４１ｄの頂部２４１ｍには第４他方側連通孔２４１ｎが形成されている。また、第１隔壁突出部２６１の頂部２６１ｂは、第１隔壁孔２６１ｃを第１他方側連通孔２４１ｆへ連通させるように、他方側外殻プレート２４の内壁面２４１ｅのうち第１他方側連通部２４１ａに属する部位に接合されている。そして、その接合によって、第１他方側連通孔２４１ｆは、第２流路１８５ｂと隔てられつつ第１流路１８５ａに連通する。また、第２隔壁突出部２６２の頂部２６２ｂは、第２隔壁孔２６２ｃを第２一方側連通孔２２１ｉへ連通させるように、一方側外殻プレート２２の内壁面２２１ｅのうち第２一方側連通部２２１ｂに属する部位に接合されている。そして、その接合によって、第２一方側連通孔２２１ｉは、第１流路１８５ａと隔てられつつ第２流路１８５ｂに連通する。また、第３隔壁突出部２６３の頂部２６３ｂは、第３隔壁孔２６３ｃを第３他方側連通孔２４１ｊへ連通させるように、他方側外殻プレート２４の内壁面２４１ｅのうち第３他方側連通部２４１ｃに属する部位に接合されている。そして、その接合によって、第３他方側連通孔２４１ｊは、第２流路１８５ｂと隔てられつつ第１流路１８５ａに連通する。また、第４隔壁突出部２６４の頂部２６４ｂは、第４隔壁孔２６４ｃを第４一方側連通孔２２１ｎへ連通させるように、一方側外殻プレート２２の内壁面２２１ｅのうち第４一方側連通部２２１ｄに属する部位に接合されている。そして、その接合によって、第４一方側連通孔２２１ｎは、第１流路１８５ａと隔てられつつ第２流路１８５ｂに連通する。
【０１０６】
従って、各連通部２２１ａ、２２１ｃ、２４１ｂ、２４１ｄの突き出た形状によって、中間流路ユニット１８ａとそれに隣接する流路ユニット１８との相互間にユニット相互隙間１８ｆを形成することができる。それと共に、外殻プレート２２、２４の各連通孔によって、第１および第２流体がそれらの流路ユニット１８ａ、１８の相互間で流通できるように、それらの流路ユニット１８ａ、１８を相互に接続できる。そして、そのような外殻プレート２２、２４の各連通部２２１ａ、２２１ｃ、２４１ｂ、２４１ｄの突き出た形状を許容しつつ、中間流路ユニット１８ａ内に第１流路１８５ａと第２流路１８５ｂとを形成することが可能である。更に、中間流路ユニット１８ａをユニット積層方向ＤＲｓに１８０°反転させても組立可能な構成として、ユニット積層部１２の製造工程を簡素化することが可能である。
【０１０７】
また、本実施形態によれば、一方端流路ユニット１８ｂの一方側外殻プレート２２には、第１流体入口１８１ａと第２流体入口１８２ａと第１流体出口１８３ａと第２流体出口１８４ａとが形成されている。その第１流体入口１８１ａと第１流体出口１８３ａは、複数の流路ユニット１８の第２流路１８５ｂと隔てられつつ第１流路１８５ａに連通する。また、第２流体入口１８２ａと第２流体出口１８４ａは、複数の流路ユニット１８の第１流路１８５ａと隔てられつつ第２流路１８５ｂに連通する。従って、第１流体と第２流体とをユニット積層部１２に出入りさせる配管１６１、１６２、１７１、１７２を、ユニット積層方向ＤＲｓの一方側に集中させることが可能である。言い換えれば、その配管１６１、１６２、１７１、１７２を、ユニット積層方向ＤＲｓの他方側に設ける必要がないというメリットがある。
【０１０８】
また、本実施形態によれば、他方端流路ユニット１８ｃの他方側外殻プレート２４には、その他方端流路ユニット１８ｃの第１流路１８５ａに連通する孔も、その他方端流路ユニット１８ｃの第２流路１８５ｂに連通する孔も形成されていない。従って、他方端流路ユニット１８ｃの他方側外殻プレート２４を、他方端流路ユニット１８ｃの機能に対し過不足ない簡素な形状にすることができる。
【０１０９】
また、本実施形態によれば、例えば、第１流体はエンジンオイルであり、第２流体は変速機オイルであり、第３流体はエンジン冷却液である。そして、ユニット相互隙間１８ｆには、第３流体としてのエンジン冷却液が流通する。従って、車両の暖機完了後である定常運転時においては、エンジン冷却液で、エンジンオイルと変速機オイルとを同時に冷却することが可能である。すなわち、エンジンオイルと変速機オイルとを冷却する冷却器として熱交換器１０を機能させることが可能である。
【０１１０】
ここで、車両の冷間始動直後など各流体の温度立ち上がり時には、変速機オイルはエンジンオイルとエンジン冷却液とに対して遅れて温度上昇する。そして、図５等から判るように、変速機オイルは第２流路１８５ｂを流通するので、変速機オイルは、エンジンオイルとエンジン冷却液との間に挟まれるようにして流通する。従って、各流体の温度立ち上がり時には、エンジン冷却液とエンジンオイルとによって変速機オイルを温めるウォーマーとして熱交換器１０を機能させることが可能である。
【０１１１】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の第３実施形態以降でも同様である。
【０１１２】
図６および図７に示すように、本実施形態では、第２流体入口１８２ａと第２流体出口１８４ａとが、ユニット積層方向ＤＲｓにおいてユニット積層部１２の一方側ではなく他方側に設けられている。また、タンク１４が、座面プレート１４３とタンク容器部１４４とから構成されている。これらの点において本実施形態は前述の第１実施形態と異なっている。それ以外については、本実施形態は第１実施形態と同様である。
【０１１３】
具体的には、タンク１４の座面プレート１４３は、ユニット積層方向ＤＲｓを厚み方向とした平板状の金属板である。例えば、座面プレート１４３は肉厚に成形されており、高い曲げ剛性を備えている。
【０１１４】
座面プレート１４３は、ユニット積層部１２に対しユニット積層方向ＤＲｓの他方側に配置されている。また、タンク容器部１４４は、ユニット積層方向ＤＲｓの一方側に窪んだ有底筒状を成している。そのタンク容器部１４４は、環状の先端縁部１４４ａをユニット積層方向ＤＲｓの他方側に有している。そして、タンク容器部１４４は、その先端縁部１４４ａの全長にわたって、ろう付け等により座面プレート１４３に気密に接合されている。この接合により、座面プレート１４３とタンク容器部１４４は、第３流体が流通するタンク空間を形成し、ユニット積層部１２はそのタンク空間に収容されている。
【０１１５】
本実施形態では、タンク入口部１４１およびタンク出口部１４２はタンク容器部１４４に設けられている。
【０１１６】
また、座面プレート１４３には、ユニット積層部１２が接合され固定されている。詳細には、他方端流路ユニット１８ｃの他方側外殻プレート２４が、座面プレート１４３に、ろう付け等によって接合されている。
【０１１７】
一方端流路ユニット１８ｂの一方側外殻プレート２２には、第１流体入口１８１ａと第１流体出口１８３ａとが形成されている。この点は第１実施形態と同様であるので、第１流体入口１８１ａと第１流体出口１８３ａは、第１実施形態と同様に、複数の流路ユニット１８の第２流路１８５ｂと隔てられつつ第１流路１８５ａに連通している。
【０１１８】
但し、本実施形態では、一方端流路ユニット１８ｂの一方側外殻プレート２２に、第２流体入口１８２ａと第２流体出口１８４ａは形成されていない。その替わりに、その第２流体入口１８２ａと第２流体出口１８４ａは、他方端流路ユニット１８ｃの他方側外殻プレート２４に形成されている。そして、その第２流体入口１８２ａと第２流体出口１８４ａは、他方端流路ユニット１８ｃの第２流路１８５ｂへ開放されているので、第１実施形態と同様に、複数の流路ユニット１８の第１流路１８５ａと隔てられつつ第２流路１８５ｂに連通している。
【０１１９】
詳細には、座面プレート１４３は、第１実施形態の第２入口配管１７１に相当する第２入口部１４３ａと、第１実施形態の第２出口配管１７２に相当する第２出口部１４３ｃとを有している。その第２入口部１４３ａには、座面プレート１４３をユニット積層方向ＤＲｓに貫通する第２入口孔１４３ｂが形成されている。これと同様に、第２出口部１４３ｃには、座面プレート１４３をユニット積層方向ＤＲｓに貫通する第２出口孔１４３ｄが形成されている。
【０１２０】
そして、第２入口孔１４３ｂおよび第２流体入口１８２ａは、ユニット積層方向ＤＲｓで他方端流路ユニット１８ｃの第２隔壁孔２６２ｃと同軸上に配置されている。座面プレート１４３の第２入口孔１４３ｂは、座面プレート１４３に対する他方端流路ユニット１８ｃの他方側外殻プレート２４の接合によって、タンク１４内には連通せずに、第２流体入口１８２ａを介して他方端流路ユニット１８ｃの第２流路１８５ｂへ連通している。
【０１２１】
これと同様に、第２出口孔１４３ｄおよび第２流体出口１８４ａは、ユニット積層方向ＤＲｓで他方端流路ユニット１８ｃの第４隔壁孔２６４ｃと同軸上に配置されている。座面プレート１４３の第２出口孔１４３ｄは、座面プレート１４３に対する他方端流路ユニット１８ｃの他方側外殻プレート２４の接合によって、タンク１４内には連通せずに、第２流体出口１８４ａを介して他方端流路ユニット１８ｃの第２流路１８５ｂへ連通している。
【０１２２】
なお、本実施形態では、一方端流路ユニット１８ｂにおいて第２隔壁孔２６２ｃは、第２隔壁突出部２６２の頂部２６２ｂが一方側外殻プレート２２の内壁面２２１ｅに接合されることによって塞がれている。これと同様に、一方端流路ユニット１８ｂの第４隔壁孔２６４ｃは、第４隔壁突出部２６４の頂部２６４ｂが一方側外殻プレート２２の内壁面２２１ｅに接合されることによって塞がれている。
【０１２３】
本実施形態のユニット積層部１２では、第１流体は図６の矢印Ｆ１ｉのように流入し、図６および図７の実線矢印のように流れてから、図７の矢印Ｆ１ｏのように流出する。また、第２流体は図６の矢印Ｆ２ｉのように流入し、図６および図７の破線矢印のように流れてから、図７の矢印Ｆ２ｏのように流出する。
【０１２４】
従って、ユニット積層部１２内において第１流体は、第１実施形態と同様に流れる。また、第２流体は、各流路ユニット１８の第２流路１８５ｂでは、第１実施形態と同様に流れる。但し、本実施形態では、座面プレート１４３の第２入口孔１４３ｂから流入した第２流体は、複数の流路ユニット１８の直列に連結された一端側第２連通部１８２内を、ユニット積層方向ＤＲｓの他方側から一方側へ流通する。そして、複数の流路ユニット１８の直列に連結された他端側第２連通部１８４内では第２流体は、ユニット積層方向ＤＲｓの一方側から他方側へ流通する。
【０１２５】
本実施形態では、前述の第１実施形態と共通の構成から奏される効果を第１実施形態と同様に得ることができる。
【０１２６】
また、本実施形態によれば、一方端流路ユニット１８ｂの一方側外殻プレート２２には、第１流体入口１８１ａと第１流体出口１８３ａとが形成されている。そして、他方端流路ユニット１８ｃの他方側外殻プレート２４には、第２流体入口１８２ａと第２流体出口１８４ａが形成されている。従って、第１流体と第２流体とをユニット積層部１２に出入りさせる出入口部１６１、１６２、１４３ａ、１４３ｃがユニット積層方向ＤＲｓの一方側または他方側に集中することを回避することが可能である。
【０１２７】
（第３実施形態）
次に、第３実施形態について説明する。本実施形態では、前述の第１実施形態と異なる点を主として説明する。
【０１２８】
図８に示すように、本実施形態では、ユニット積層部１２は複数のフィン１２１を有している。また、ユニット積層部１２の一方端流路ユニット１８ｂが有する一方側外殻プレート２２のプレート基部２２１が、タンク１４の内壁面に対しユニット積層方向ＤＲｓに当接している。それと共に、ユニット積層部１２の他方端流路ユニット１８ｃが有する他方側外殻プレート２４のプレート基部２４１も、タンク１４の内壁面に対しユニット積層方向ＤＲｓに当接している。
【０１２９】
また、タンク出口部１４２は、短手幅方向ＤＲ２においてタンク１４の一方側に設けられ、タンク入口部１４１は、短手幅方向ＤＲ２においてタンク１４の他方側に設けられている。これらの点において本実施形態は前述の第１実施形態と異なっている。それ以外については、本実施形態は第１実施形態と同様である。
【０１３０】
具体的に説明すると、ユニット積層部１２のフィン１２１は、流路ユニット１８の外側に設けられるアウターフィンである。フィン１２１は、アルミニウム合金等の金属板が波形等に成形されてなる熱交換フィンであり、一般的な熱交換器に用いられているものと同様である。そのフィン１２１はユニット相互隙間１８ｆにそれぞれ配置されている。従って、そのユニット相互隙間１８ｆ内を流通する第３流体は、フィン１２１の表面に接触しつつユニット相互隙間１８ｆを通過する。
【０１３１】
例えば、このフィン１２１は、長手幅方向ＤＲ１および短手幅方向ＤＲ２において、ユニット相互隙間１８ｆが拡がる略全域にわたって設けられている。従って、フィン１２１は、ユニット相互隙間１８ｆのうち、互いに隣接する流路ユニット１８の中間部１８５同士の間の部位にも設けられている。
【０１３２】
そして、各フィン１２１は、そのフィン１２１に対しユニット積層方向ＤＲｓの一方側にて当接する他方側外殻プレート２４のプレート基部２４１に、ろう付け等により接合されている。これと同様に、各フィン１２１は、そのフィン１２１に対しユニット積層方向ＤＲｓの他方側にて当接する一方側外殻プレート２２のプレート基部２２１にも、ろう付け等により接合されている。これにより、各フィン１２１は、フィン１２１に接合された他方側外殻プレート２４を介して第３流体と第１流体との熱交換を促進する。それと同時に、各フィン１２１は、フィン１２１に接合された一方側外殻プレート２２を介して第３流体と第２流体との熱交換を促進する。
【０１３３】
本実施形態では、前述の第１実施形態と共通の構成から奏される効果を第１実施形態と同様に得ることができる。
【０１３４】
また、本実施形態によれば、ユニット相互隙間１８ｆには、第３流体と第１流体または第２流体との熱交換を促進するフィン１２１がそれぞれ設けられている。従って、そのフィン１２１が無い場合と比較して、第３流体と第１流体または第２流体との熱交換を促進することを、簡単な構成によって実現することが可能である。
【０１３５】
なお、本実施形態は第１実施形態に基づいた変形例であるが、本実施形態を前述の第２実施形態と組み合わせることも可能である。
【０１３６】
（第４実施形態）
次に、第４実施形態について説明する。本実施形態では、前述の第２実施形態と異なる点を主として説明する。
【０１３７】
図９および図１０に示すように、本実施形態では、タンク１４は、座面プレート１４３とタンク容器部１４４とに加え、タンクボトムプレート１４５とタンクパッキン１４６とを有している。また、タンク入口部１４１およびタンク出口部１４２が両方とも、短手幅方向ＤＲ２においてタンク容器部１４４の他方側に設けられている。
【０１３８】
なお、図９では、各構成部材の配置を判りやすく示すために、構成部材の相互間に敢えて隙間を空けて、各構成部材が図示されている。また、図９では、ユニット積層部１２から第１流体および第２流体が流出する流れを示すために、第１出口配管１６２と第２出口孔１４３ｄとが二点鎖線で図示されている。また、図１０では、図示の簡略化のために、タンク入口部１４１およびタンク出口部１４２の図示が省略されている。
【０１３９】
本実施形態のタンク容器部１４４は金属製ではなく樹脂製である。
【０１４０】
タンクボトムプレート１４５は金属製の板状部材から構成されている。タンクボトムプレート１４５は、座面プレート１４３に対しユニット積層方向ＤＲｓの一方側に配置され、長手幅方向ＤＲ１および短手幅方向ＤＲ２へ平面的に拡がるように設置されている。すなわち、タンクボトムプレート１４５は、ユニット積層方向ＤＲｓにおいて座面プレート１４３とタンク容器部１４４との間に配置されている。タンクボトムプレート１４５は、座面プレート１４３に対し、例えばろう付け等によって接合されている。
【０１４１】
タンクパッキン１４６は、ゴムなどの弾性部材で構成されている。タンクパッキン１４６は、タンク容器部１４４の先端縁部１４４ａの全長にわたって延びるように設けられている。そして、タンクパッキン１４６は、タンク容器部１４４の先端縁部１４４ａとタンクボトムプレート１４５との間に配置されている。
【０１４２】
タンク容器部１４４は、先端縁部１４４ａとタンクボトムプレート１４５の周縁部分１４５ａとの間にタンクパッキン１４６を挟んだ状態でタンクボトムプレート１４５の周縁部分１４５ａにカシメ固定されている。このカシメ固定によって、そのタンクパッキン１４６は、タンク容器部１４４の先端縁部１４４ａとタンクボトムプレート１４５の周縁部分１４５ａとの間にてユニット積層方向ＤＲｓに挟圧された状態に維持されている。これにより、タンク容器部１４４とタンクボトムプレート１４５は、第３流体が流通するタンク空間を形成している。ユニット積層部１２はそのタンク空間に収容されている。また、タンクパッキン１４６は挟圧されることで、タンク容器部１４４とタンクボトムプレート１４５との間から第３流体が漏出することを防止している。
【０１４３】
また、図１１および図１２に示すように、本実施形態では、他方端流路ユニット１８ｃの他方側外殻プレート２４は、中間流路ユニット１８ａの他方側外殻プレート２４と同様に、第２他方側連通部２４１ｂと第４他方側連通部２４１ｄとを有している。すなわち、他方端流路ユニット１８ｃの他方側外殻プレート２４は、第２他方側連通部２４１ｂの筒状壁部２４１ｇと頂部２４１ｈとを有すると共に、第４他方側連通部２４１ｄの筒状壁部２４１ｋと頂部２４１ｍとを有している。
【０１４４】
この２つの頂部２４１ｈ、２４１ｍはそれぞれ、タンクボトムプレート１４５に対しユニット積層方向ＤＲｓの一方側から当接しており、その当接した状態でろう付け等により接合されている。そのため、他方端流路ユニット１８ｃとタンクボトムプレート１４５との間には、ユニット積層方向ＤＲｓの隙間であるタンクボトム隙間１８ｇが形成されている。
【０１４５】
このタンクボトム隙間１８ｇにも、ユニット相互隙間１８ｆと同様にフィン１２１が配置されている。そのタンクボトム隙間１８ｇのフィン１２１は、他方端流路ユニット１８ｃの他方側外殻プレート２４のプレート基部２４１とタンクボトムプレート１４５とに、ろう付け等によって接合されている。
【０１４６】
また、第２流体入口１８２ａは、他方端流路ユニット１８ｃの他方側外殻プレート２４が有する第２他方側連通部２４１ｂの頂部２４１ｈをユニット積層方向ＤＲｓへ貫通する貫通孔として形成され、座面プレート１４３の第２入口孔１４３ｂに接続されている。また、第２流体出口１８４ａは、他方端流路ユニット１８ｃの他方側外殻プレート２４が有する第４他方側連通部２４１ｄの頂部２４１ｍをユニット積層方向ＤＲｓへ貫通する貫通孔として形成され、座面プレート１４３の第２出口孔１４３ｄに接続されている。
【０１４７】
また、図９に示すように、本実施形態の各流路ユニット１８は第１インナーフィン２８と第２インナーフィン３０とを有している。その第１および第２インナーフィン２８、３０は何れも、アルミニウム合金等の金属板が波形等に成形されてなる熱交換フィンであり、一般的な熱交換器のチューブ内に設けられるフィンと同様である。
【０１４８】
第１インナーフィン２８は第１流路１８５ａに配置されている。従って、その第１流路１８５ａ内を流通する第１流体は、第１インナーフィン２８の表面に接触しつつ第１流路１８５ａを通過する。第１インナーフィン２８は、例えば第１流路１８５ａのうち、少なくとも中間部１８５（図５参照）に属する部位に設けられている。
【０１４９】
そして、図９、１１、１２に示すように、第１インナーフィン２８は、その第１インナーフィン２８に対しユニット積層方向ＤＲｓの一方側にて当接する一方側外殻プレート２２のプレート基部２２１に、ろう付け等により接合されている。これと同様に、第１インナーフィン２８は、その第１インナーフィン２８に対しユニット積層方向ＤＲｓの他方側にて当接する隔壁プレート２６にも、ろう付け等により接合されている。
【０１５０】
これにより、第１インナーフィン２８は、第３流体と第１インナーフィン２８が配置された第１流路１８５ａ内を流通する第１流体との熱交換、および、その第１流体と第２流体との熱交換を促進する。
【０１５１】
第２インナーフィン３０は第２流路１８５ｂに配置されている。従って、その第２流路１８５ｂ内を流通する第２流体は、第２インナーフィン３０の表面に接触しつつ第２流路１８５ｂを通過する。第２インナーフィン３０は、例えば第２流路１８５ｂのうち、少なくとも中間部１８５に属する部位に設けられている。
【０１５２】
そして、第２インナーフィン３０は、その第２インナーフィン３０に対しユニット積層方向ＤＲｓの一方側にて当接する隔壁プレート２６に、ろう付け等により接合されている。これと同様に、第２インナーフィン３０は、その第２インナーフィン３０に対しユニット積層方向ＤＲｓの他方側にて当接する他方側外殻プレート２４のプレート基部２４１にも、ろう付け等により接合されている。
【０１５３】
これにより、第２インナーフィン３０は、第３流体と第２インナーフィン３０が配置された第２流路１８５ｂ内を流通する第２流体との熱交換、および、その第２流体と第１流体との熱交換を促進する。以上説明したことを除き、本実施形態は第２実施形態と同様である。
【０１５４】
なお、図１１および図１２では、図示の簡略化のために、タンク容器部１４４、タンクパッキン１４６、フィン１２１、第１インナーフィン２８、および第２インナーフィン３０の図示が省略されている。
【０１５５】
本実施形態では、前述の第２実施形態と共通の構成から奏される効果を第２実施形態と同様に得ることができる。また、本実施形態は第２実施形態に基づいた変形例であるが、本実施形態を前述の第１実施形態と組み合わせることも可能である。
【０１５６】
（第５実施形態）
次に、第５実施形態について説明する。本実施形態では、前述の第４実施形態と異なる点を主として説明する。
【０１５７】
図１３に示すように、本実施形態では、タンク容器部１４４は樹脂製ではなく、アルミニウム合金等の金属製である。
【０１５８】
タンク容器部１４４は、そのタンク容器部１４４の先端縁部１４４ａの全長にわたって、ろう付け等により、タンクボトムプレート１４５の周縁部分１４５ａに気密に接合されている。この接合により、タンク容器部１４４とタンクボトムプレート１４５は、第３流体が流通するタンク空間を形成し、ユニット積層部１２はそのタンク空間に収容されている。
【０１５９】
なお、図１３では、図示の簡略化のために、フィン１２１、第１インナーフィン２８、および第２インナーフィン３０の図示は省略されているが、本実施形態のユニット積層部１２も第４実施形態のユニット積層部１２と同様に、それらのフィン１２１、２８、３０を有している。
【０１６０】
また、タンク入口部１４１およびタンク出口部１４２は両方とも、短手幅方向ＤＲ２においてタンク容器部１４４の一方側に設けられている。以上説明したことを除き、本実施形態は第４実施形態と同様である。
【０１６１】
本実施形態では、前述の第４実施形態と共通の構成から奏される効果を第４実施形態と同様に得ることができる。また、本実施形態は第４実施形態に基づいた変形例であるが、本実施形態を前述の第１実施形態と組み合わせることも可能である。
【０１６２】
（他の実施形態）
（１）上述の各実施形態では、第１流体はエンジンオイルであり、第２流体は変速機オイルであり、第３流体はエンジン冷却水であるが、これは一例である。例えば、第１流体が変速機オイルであって第２流体がエンジンオイルであってもよい。更に言えば、第１〜第３流体のうちの何れか又は全部は、エンジンオイル、変速機オイル、およびエンジン冷却水以外の流体であってもよいし、液体ではなく気体であってもよい。
【０１６３】
（２）上述の各実施形態では、流路ユニット１８は長手幅と短手幅とを有し、その長手幅は短手幅よりも長いが、その長手幅と短手幅とが同じ長さになっていても差し支えない。
【０１６４】
（３）上述の第１実施形態では、一方側外殻プレート２２の第１接続部２２３ａの第１接続口は、第１流体が流入する第１流体入口１８１ａとして設けられ、第３接続部２２３ｃの第３接続口は、第１流体が流出する第１流体出口１８３ａとして設けられているが、これは一例である。
【０１６５】
例えば逆に、第１接続口が第１流体出口１８３ａとして設けられると共に、第３接続口が第１流体入口１８１ａとして設けられてもよい。すなわち、一方端流路ユニット１８ｂでは、第１流体が第３接続口に流入すると共に、第１接続口から流出してもよい。要するに、その第１接続口と第３接続口との一方が第１流体入口１８１ａとして設けられると共に、他方が第１流体出口１８３ａとして設けられていればよい。このようにすれば、各流路ユニット１８の相互間における第１流体の流れを一端側第１連通部１８１と他端側第１連通部１８３との各々においてユニット積層方向ＤＲｓに沿った流れにして、第１流体を効率的に各流路ユニット１８へ流すことが可能である。
【０１６６】
（４）上述の第１実施形態では、一方側外殻プレート２２の第２接続部２２３ｂの第２接続口は、第２流体が流入する第２流体入口１８２ａとして設けられ、第４接続部２２３ｄの第４接続口は、第２流体が流出する第２流体出口１８４ａとして設けられているが、これは一例である。
【０１６７】
例えば逆に、第２接続口が第２流体出口１８４ａとして設けられると共に、第４接続口が第２流体入口１８２ａとして設けられてもよい。すなわち、一方端流路ユニット１８ｂでは、第２流体が第４接続口に流入すると共に、第２接続口から流出してもよい。要するに、その第２接続口と第４接続口との一方が第２流体入口１８２ａとして設けられると共に、他方が第２流体出口１８４ａとして設けられていればよい。このようにすれば、各流路ユニット１８の相互間における第２流体の流れを一端側第２連通部１８２と他端側第２連通部１８４との各々においてユニット積層方向ＤＲｓに沿った流れにして、第２流体を効率的に各流路ユニット１８へ流すことが可能である。
【０１６８】
（５）上述の第１実施形態では、図１の矢印Ｆ１ｓ、Ｆ２ｓに示すように、中間部１８５（図４参照）での第１流体流れと第２流体流れは、それぞれの主流の向きが長手幅方向ＤＲ１では互いに同じになる並行流となっているが、これは一例である。例えば、第１流体流れと第２流体流れは、それらのうちの一方の主流の向きが逆転した対向流となっていてもよい。その対向流とは、一方の主流の向きと他方の主流の向きとが長手幅方向ＤＲ１において相対向することである。
【０１６９】
（６）上述の第１実施形態では、他方端流路ユニット１８ｃの隔壁プレート２６は、中間流路ユニット１８ａの隔壁プレート２６と同じ部品であるが、それらの隔壁プレート２６が互いに異なる部品になっていても差し支えない。そのようにした場合、例えば、他方端流路ユニット１８ｃの隔壁プレート２６は、第１隔壁孔２６１ｃと第３隔壁孔２６３ｃが設けられていない部品とされてもよい。その場合、それらの隔壁孔２６１ｃ、２６３ｃを他方側外殻プレート２４の内壁面２４１ｅで塞ぐ必要がないので、第１隔壁突出部２６１および第３隔壁突出部２６３の突出形状は不要である。
【０１７０】
（７）上述の各実施形態では、複数の流路ユニット１８の積層数は３段であるが、その積層数は２段または４段以上であっても差し支えない。例えば、その積層数が２段である場合には、中間流路ユニット１８ａは設けられず、ユニット積層部１２は一方端流路ユニット１８ｂと他方端流路ユニット１８ｃとから構成される。また、その積層数が４段以上である場合には、一方端流路ユニット１８ｂと他方端流路ユニット１８ｃとを除いた積層数だけ、中間流路ユニット１８ａが積層される。
【０１７１】
（８）上述の第３実施形態では、図８に示すユニット積層部１２のフィン１２１は、そのフィン１２１に対しユニット積層方向ＤＲｓに当接する一方側外殻プレート２２と他方側外殻プレート２４とにそれぞれ接合されているが、これは一例である。
【０１７２】
例えば、ユニット積層部１２のフィン１２１は、その一方側外殻プレート２２と他方側外殻プレート２４とのうちの一方にだけ接合され、他方には接合されていないということも考え得る。すなわち、フィン１２１は、ユニット積層方向ＤＲｓでそのフィン１２１の両隣に配置された一対の中間部１８５（図５参照）のうちの一方には接合され、他方には接合されていないということである。但し、フィン１２１は、それらの外殻プレート２２、２４のうちの接合されていない側である他方に対して当接している。
【０１７３】
このようにすれば、第１流体および第２流体のそれぞれと第３流体とを熱交換させつつ、第１流体と第２流体とのうちの一方と第３流体との熱交換を、その他方と第３流体との熱交換に比して、より積極的に行わせることが可能である。
【０１７４】
（９）上述の第４実施形態では、図９および図１０に示すように、タンク入口部１４１とタンク出口部１４２は両方とも、短手幅方向ＤＲ２においてタンク容器部１４４の他方側に設けられているが、逆に、タンク容器部１４４の一方側に設けられていても差し支えない。
【０１７５】
（１０）上述の各実施形態では、一方側外殻プレート２２は一体成形品であるが、複数の部材が互いに接合されることにより構成されていても差し支えない。例えば、複数の流路ユニット１８のうちの少なくとも何れかにおいて、図１４に示すように、一方側外殻プレート２２が、一方側突出部材２２４と一方側外殻プレート構成部材２２５とが互いに接合されることによって構成されることが想定される。その接合は、ろう付け等により気密に接合される。また、一方側外殻プレート構成部材２２５とは、一方側突出部材２２４の構成部位以外の他の部位を構成する部材である。
【０１７６】
その想定のように為される場合、一方側突出部材２２４は、一方側外殻プレート２２のうちユニット積層方向ＤＲｓの一方側へ突き出た一方側突出部位２２１ａ、２２１ｃを構成する。その一方側突出部位２２１ａ、２２１ｃとは、第１一方側連通部２２１ａまたは第３一方側連通部２２１ｃ（図４参照）である。また、一方側外殻プレート構成部材２２５は、一方側外殻プレート２２のプレート基部２２１（図５参照）を構成する。
【０１７７】
このようにすれば、一方側外殻プレート２２の全体を一体成形することで上記一方側突出部位２２１ａ、２２１ｃを形成することが困難な場合にも、その一方側突出部位２２１ａ、２２１ｃを形成することが可能である。
【０１７８】
このことは、一方側外殻プレート２２だけでなく、他方側外殻プレート２４でも同様である。具体的に言えば、複数の流路ユニット１８のうちの少なくとも何れかにおいて、図１４に示すように、他方側外殻プレート２４が、他方側突出部材２４４と他方側外殻プレート構成部材２４５とが互いに接合されることによって構成されることが想定される。その他方側外殻プレート構成部材２４５とは、他方側突出部材２４４の構成部位以外の他の部位を構成する部材である。
【０１７９】
その想定のように為される場合、他方側突出部材２４４は、他方側外殻プレート２４のうちユニット積層方向ＤＲｓの他方側へ突き出た他方側突出部位２４１ｂ、２４１ｄを構成する。その他方側突出部位２４１ｂ、２４１ｄとは、第２他方側連通部２４１ｂまたは第４他方側連通部２４１ｄ（図４参照）である。また、他方側外殻プレート構成部材２４５は、他方側外殻プレート２４のプレート基部２４１（図５参照）を構成する。
【０１８０】
このようにすれば、他方側外殻プレート２４の全体を一体成形することで上記他方側突出部位２４１ｂ、２４１ｄを形成することが困難な場合にも、その他方側突出部位２４１ｂ、２４１ｄを形成することが可能である。
【０１８１】
更に、上述のことは、隔壁プレート２６でも同様である。具体的に言えば、複数の流路ユニット１８のうちの少なくとも何れかにおいて、図１５に示すように、隔壁プレート２６が、隔壁突出部材２６５と隔壁プレート構成部材２６６とが互いに接合されることによって構成されることが想定される。その隔壁プレート構成部材２６６とは、隔壁突出部材２６５の構成部位以外の他の部位を構成する部材である。
【０１８２】
その想定のように為される場合、隔壁突出部材２６５は、第１隔壁突出部２６１と第２隔壁突出部２６２と第３隔壁突出部２６３と第４隔壁突出部２６４（図４参照）とのうちの何れかを構成する。また、隔壁プレート構成部材２６６は、隔壁プレート２６のうちそれらの隔壁突出部２６１、２６２、２６３、２６４を除いた平板部分を構成する。
【０１８３】
このようにすれば、隔壁プレート２６の全体を一体成形することで各隔壁突出部２６１、２６２、２６３、２６４を形成することが困難な場合にも、その隔壁突出部２６１、２６２、２６３、２６４を形成することが可能である。
【０１８４】
（１１）上述の各実施形態では図５に示すように、各流路ユニット１８の中間部１８５において、第１流路１８５ａは、第２流路１８５ｂに対しユニット積層方向ＤＲｓの一方側に配置されているが、これは一例である。例えば逆に、第１流路１８５ａは、第２流路１８５ｂに対しユニット積層方向ＤＲｓの他方側に配置されていても差し支えない。
【０１８５】
なお、本開示は、上述の実施形態に限定されることなく、様々な変形例や均等範囲内の変形をも包含する。また、上記各実施形態は、互いに無関係なものではなく、組み合わせが明らかに不可な場合を除き、適宜組み合わせが可能である。
【０１８６】
また、上記各実施形態において、実施形態を構成する要素は、特に必須であると明示した場合および原理的に明らかに必須であると考えられる場合等を除き、必ずしも必須のものではないことは言うまでもない。
【０１８７】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１８８】
（まとめ）
上記各実施形態の一部または全部で示された第１の観点によれば、ユニット積層部は、第１流体が流れる第１流路と第２流体が流れる第２流路とが形成された複数の流路ユニットを有し、その複数の流路ユニットが積層方向へ積層されることにより構成されている。また、タンクはユニット積層部を収容し、そのタンク内には第３流体が流通する。また、複数の流路ユニットはそれぞれ、その流路ユニットの一端部に配置された一端側第１連通部および一端側第２連通部と、その流路ユニットの他端部に配置された他端側第１連通部および他端側第２連通部とを有する。それと共に、その複数の流路ユニットはそれぞれ、一端部と他端部との間に配置され第１流路と第２流路とが積層方向へ積層して形成された中間部を有する。また、互いに隣接する流路ユニットの中間部同士の間には、第３流体が流通する隙間が形成されている。
【０１８９】
また、第２の観点によれば、一方側外殻プレートは、隔壁プレートに対し積層方向の一方側に配置されると共にその隔壁プレートに接合される。そして、他方側外殻プレートは、隔壁プレートに対し積層方向の他方側に配置されると共にその隔壁プレートに接合される。また、第１流路は、一方側外殻プレートと隔壁プレートとの間に形成され、第２流路は、他方側外殻プレートと隔壁プレートとの間に形成され、その隔壁プレートによって第１流路と隔てられている。従って、第１流体と第２流体との混合を隔壁プレートによって防止しつつ、簡素な積層構造によって、１つの流路ユニット内に第１流路と第２流路とを形成することが可能である。
【０１９０】
また、第３の観点によれば、一端側第１連通部と他端側第１連通部との並びは、一端側第２連通部と他端側第２連通部との並びに対し対角配置になっている。隔壁プレートは、一端側第１連通部に含まれ積層方向の他方側へ突き出た第１隔壁突出部と、一端側第２連通部に含まれ積層方向の一方側へ突き出た第２隔壁突出部とを有している。そして、隔壁プレートは、他端側第１連通部に含まれ積層方向の他方側へ突き出た第３隔壁突出部と、他端側第２連通部に含まれ積層方向の一方側へ突き出た第４隔壁突出部とを有している。第１隔壁突出部の頂部と第３隔壁突出部の頂部はそれぞれ、他方側外殻プレートの内壁面に対し積層方向に当接し、第２隔壁突出部の頂部と第４隔壁突出部の頂部はそれぞれ、一方側外殻プレートの内壁面に対し積層方向に当接している。従って、一端側第１連通部および他端側第１連通部では第１流体が流路ユニット相互間で流通でき、且つ一端側第２連通部および他端側第２連通部では第２流体が流路ユニット相互間で流通できるように、隔壁プレートを形成することが可能である。そして、その隔壁プレートを、積層方向に沿った軸線まわりに点対称の形状として、流路ユニットの製造工程を簡素化することが可能である。
【０１９１】
また、第４の観点によれば、中間流路ユニットでは、第１一方側連通部と第３一方側連通部は積層方向の一方側へ突き出ており、第１一方側連通部の頂部には第１一方側連通孔が形成され、第３一方側連通部の頂部には第３一方側連通孔が形成されている。また、第２他方側連通部と第４他方側連通部は積層方向の他方側へ突き出ており、第２他方側連通部の頂部には第２他方側連通孔が形成され、第４他方側連通部の頂部には第４他方側連通孔が形成されている。また、第１隔壁突出部の頂部は、第１隔壁孔を第１他方側連通孔へ連通させるように、他方側外殻プレートの内壁面のうち第１他方側連通部に属する部位に接合され、その接合によって、第１他方側連通孔は、第２流路と隔てられつつ第１流路に連通する。また、第２隔壁突出部の頂部は、第２隔壁孔を第２一方側連通孔へ連通させるように、一方側外殻プレートの内壁面のうち第２一方側連通部に属する部位に接合され、その接合によって、第２一方側連通孔は、第１流路と隔てられつつ第２流路に連通する。また、第３隔壁突出部の頂部は、第３隔壁孔を第３他方側連通孔へ連通させるように、他方側外殻プレートの内壁面のうち第３他方側連通部に属する部位に接合され、その接合によって、第３他方側連通孔は、第２流路と隔てられつつ第１流路に連通する。また、第４隔壁突出部の頂部は、第４隔壁孔を第４一方側連通孔へ連通させるように、一方側外殻プレートの内壁面のうち第４一方側連通部に属する部位に接合され、その接合によって、第４一方側連通孔は、第１流路と隔てられつつ第２流路に連通する。従って、各連通部の突き出た形状と各連通孔とによって、中間流路ユニットとそれに隣接する流路ユニットとの相互間に上記隙間を形成しつつ、第１および第２流体がそれらの流路ユニットの相互間で流通できるように、それらの流路ユニットを相互に接続できる。そして、そのような外殻プレートの各連通部の突き出た形状を許容しつつ、中間流路ユニット内に第１流路と第２流路とを形成することが可能である。更に、中間流路ユニットを積層方向に１８０°反転させても組立可能な構成として、ユニット積層部の製造工程を簡素化することが可能である。
【０１９２】
また、第５の観点によれば、複数の流路ユニットのうちの少なくとも何れかにおいて、隔壁プレートは、隔壁突出部材と隔壁プレート構成部材とが互いに接合されることによって構成されている。そして、その隔壁突出部材は、第１隔壁突出部と第２隔壁突出部と第３隔壁突出部と第４隔壁突出部とのうちの何れかを構成する。また、隔壁プレート構成部材は、その隔壁突出部材の構成部位以外の他の部位を構成する。このようにすれば、隔壁プレートの全体を一体成形することで各隔壁突出部を形成することが困難な場合にも、その隔壁突出部を形成することが可能である。
【０１９３】
また、第６の観点によれば、一方端流路ユニットの一方側外殻プレートには、第１流体入口と第１流体出口と第２流体入口と第２流体出口とが形成されている。その第１流体入口と第１流体出口は、複数の流路ユニットの第２流路と隔てられつつ第１流路に連通する。また、第２流体入口と第２流体出口は、複数の流路ユニットの第１流路と隔てられつつ第２流路に連通する。第１流体入口にはユニット積層部の外部から第１流体が流入し、第１流体出口からは第１流体がユニット積層部の外部へ流出する。第２流体入口にはユニット積層部の外部から第２流体が流入し、第２流体出口からは第２流体がユニット積層部の外部へ流出する。従って、第１流体と第２流体とをユニット積層部に出入りさせる配管類を、積層方向の他方側に設ける必要がないというメリットがある。
【０１９４】
また、第７の観点によれば、一方端流路ユニットの一方側外殻プレートは、一端側第１連通部に含まれ第１接続口が形成された第１接続部と、一端側第２連通部に含まれ第２接続口が形成された第２接続部とを有する。また、その一方側外殻プレートは、他端側第１連通部に含まれ第３接続口が形成された第３接続部と、他端側第２連通部に含まれ第４接続口が形成された第４接続部とを有する。第１接続口と第３接続口との一方は第１流体入口として設けられると共に、他方は第１流体出口として設けられている。また、第２接続口と第４接続口との一方は第２流体入口として設けられると共に、他方は第２流体出口として設けられている。従って、各流路ユニットの相互間における第１流体の流れと第２流体の流れとをそれぞれ積層方向に沿った流れにして、第１流体および第２流体を効率的に各流路ユニットへ流すことが可能である。
【０１９５】
また、第８の観点によれば、他方端流路ユニットの他方側外殻プレートには、その他方端流路ユニットの第１流路に連通する孔も、その他方端流路ユニットの第２流路に連通する孔も形成されていない。従って、他方端流路ユニットの他方側外殻プレートを、他方端流路ユニットの機能に対し過不足ない簡素な形状にすることができる。
【０１９６】
また、第９の観点によれば、一方端流路ユニットの一方側外殻プレートには、第１流体入口と第１流体出口とが形成され、他方端流路ユニットの他方側外殻プレートには、第２流体入口と第２流体出口とが形成されている。従って、第１流体と第２流体とをユニット積層部に出入りさせる配管類が積層方向の一方側または他方側に集中することを回避することが可能である。
【０１９７】
また、第１０の観点によれば、複数の流路ユニットのうちの少なくとも何れかにおいて、一方側外殻プレートは、一方側突出部材と一方側外殻プレート構成部材とが互いに接合されることによって構成されている。そして、その一方側突出部材は、一方側外殻プレートのうち積層方向の一方側へ突き出た部位を構成する。また、一方側外殻プレート構成部材は、その一方側突出部材の構成部位以外の他の部位を構成する。このようにすれば、一方側外殻プレートの全体を一体成形することで上記一方側へ突き出た部位を形成することが困難な場合にも、その一方側へ突き出た部位を形成することが可能である。
【０１９８】
また、第１１の観点によれば、複数の流路ユニットのうちの少なくとも何れかにおいて、他方側外殻プレートは、他方側突出部材と他方側外殻プレート構成部材とが互いに接合されることによって構成されている。そして、その他方側突出部材は、他方側外殻プレートのうち積層方向の他方側へ突き出た部位を構成する。また、他方側外殻プレート構成部材は、その他方側突出部材の構成部位以外の他の部位を構成する。このようにすれば、他方側外殻プレートの全体を一体成形することで上記他方側へ突き出た部位を形成することが困難な場合にも、その他方側へ突き出た部位を形成することが可能である。
【０１９９】
また、第１２の観点によれば、第３流体が流通する上記隙間には、第３流体と第１流体または第２流体との熱交換を促進するフィンが設けられている。従って、そのフィンが無い場合と比較して、第３流体と第１流体または第２流体との熱交換を促進することを、簡単な構成によって実現することが可能である。
【０２００】
また、第１３の観点によれば、フィンは、積層方向でそのフィンの両隣に配置された一対の中間部のうちの一方には接合され、他方には接合されていない。従って、第１流体および第２流体のそれぞれと第３流体とを熱交換させつつ、第１流体と第２流体とのうちの一方と第３流体との熱交換を、その他方と第３流体との熱交換に比して、より積極的に行わせることが可能である。
【０２０１】
また、第１４の観点によれば、第１流体はエンジンオイルであり、第２流体は変速機オイルであり、第３流体はエンジン冷却液である。そして、流路ユニットの中間部同士の間に形成された上記隙間には、第３流体としてのエンジン冷却液が流通する。従って、エンジン冷却液で、エンジンオイルと変速機オイルとを同時に冷却することが可能である。
【０２０２】
また、第１５の観点によれば、タンクは、そのタンクの外部から第３流体をタンク内へ流入させるタンク入口部と、タンク内の第３流体をタンクの外部へ流出させるタンク出口部とを有する。
【０２０３】
また、第１６の観点によれば、タンク入口部は、積層方向に直交する方向において、タンクの一方側の側部に設けられ、タンク出口部は、タンクの他方側の側部に設けられている。
【図１】
0006631720.tif 000002
【図２】
0006631720.tif 000003
【図３】
0006631720.tif 000004
【図４】
0006631720.tif 000005
【図５】
0006631720.tif 000006
【図６】
0006631720.tif 000007
【図７】
0006631720.tif 000008
【図８】
0006631720.tif 000009
【図９】
0006631720.tif 000010
【図１０】
0006631720.tif 000011
【図１１】
0006631720.tif 000012
【図１２】
0006631720.tif 000013
【図１３】
0006631720.tif 000014
【図１４】
0006631720.tif 000015
【図１５】
0006631720.tif 000016